(57)【要約】  自然エネルギーを利用した発電機に蓄電池を併設させて、前記発電機の発電量に応じて前記蓄電池を充放電させる蓄電池の運転方法であって、前記発電機における各時刻の予想発電量と前記蓄電池の放電量又は充電量とを合成した合成出力における単位時間当たりの変化量が所定の時間帯では途中で減少しない、又は途中で増加しない、又は途中で増減しないように、各時刻における前記合成出力の目標値を前記所定の時間帯の終了時刻以降における前記予想発電量に基づいて設定し、前記目標値に基づいて前記蓄電池を充放電させる蓄電池の運転方法。
2018193689.tif 000002
【特許請求の範囲】
【請求項１】
自然エネルギーを利用した発電機に蓄電池を併設させて、前記発電機の発電量に応じて前記蓄電池を充放電させる蓄電池の運転方法であって、
前記発電機における各時刻の予想発電量と前記蓄電池の放電量又は充電量とを合成した合成出力における単位時間当たりの変化量が所定の時間帯では途中で減少しない、又は途中で増加しない、又は途中で増減しないように、各時刻における前記合成出力の目標値を前記所定の時間帯の終了時刻以降における前記予想発電量に基づいて設定し、前記目標値に基づいて前記蓄電池を充放電させる蓄電池の運転方法。
【請求項２】
前記所定の時間帯における前記目標値として、前記蓄電池の放電量が前記発電機の発電抑制を低減可能な範囲において最大になる放電優先値、前記蓄電池の充電量が前記範囲において最大になる充電優先値、及び前記放電優先値と前記充電優先値との中間値から選択される少なくとも一つを設定する請求項１に記載の蓄電池の運転方法。
【請求項３】
自然エネルギーを利用した発電機に併設されて、前記発電機の発電量に応じて充放電を行う蓄電池システムであって、
前記発電機における各時刻の予想発電量に基づく値と、前記蓄電池の定格出力とを合成した仮の合成出力を演算する仮値演算部と、
単位時間当たりの変化量が所定の範囲を満たすように前記仮の合成出力を修正して、各時刻における前記合成出力の目標値を演算する目標値演算部とを含む制御部を備える蓄電池システム。
【請求項４】
自然エネルギーを利用した発電機の発電量に応じて、前記発電機に併設される蓄電池を充放電させるために、コンピュータに、
前記発電機における各時刻の予想発電量に基づく値と、前記蓄電池の定格出力とを合成した仮の合成出力を演算する仮値演算ステップと、
単位時間当たりの変化量が所定の範囲を満たすように前記仮の合成出力を修正して、各時刻における前記合成出力の目標値を演算する目標値演算ステップとを実行させるためのプログラム。
【請求項５】
前記目標値演算ステップでは、
所定の時間帯における前記合成出力の単位時間当たりの変化量が途中で減少しない、又は途中で増加しない、又は途中で増減しないように前記仮の合成出力を修正する、請求項４に記載のプログラム。
【請求項６】
前記仮値演算ステップでは、
前記所定の時間帯における前記仮の合成出力を、この時間帯外であってこの時間帯の終了時刻後の各時刻における前記予想発電量の単位時間当たりの変化量が前記所定の範囲を満たすように前記終了時刻における前記予想発電量に基づく値を演算し、この値を用いて演算する、請求項５に記載のプログラム。
【請求項７】
前記目標値演算ステップでは、
前記所定の時間帯における前記目標値として、前記蓄電池の放電量が前記発電機の発電抑制を低減可能な範囲において最大になる放電優先値、前記蓄電池の充電量が前記範囲において最大になる充電優先値、及び前記放電優先値と前記充電優先値との中間値から選択される少なくとも一つを演算する、請求項５又は請求項６に記載のプログラム。
【発明の詳細な説明】
【技術分野】
【０００１】
本発明は、蓄電池の運転方法、蓄電池システム、及びプログラムに関する。
本出願は、２０１７年４月１９日出願の日本出願第２０１７−０８２６９８号に基づく優先権を主張し、前記日本出願に記載された全ての記載内容を援用するものである。
【背景技術】
【０００２】
特許文献１，２は、蓄電池の一つであるレドックスフロー電池（以下、ＲＦ電池と呼ぶことがある）を風力発電機に併設して、風力発電機の発電量に応じてＲＦ電池を充放電させて、発電電力とＲＦ電池の放電電力又は充電電力（以下、電池出力と呼ぶことがある）とを合成した合成出力を負荷に供給することを開示する。
【先行技術文献】
【特許文献】
【０００３】
【特許文献１】特開２００３−３１７７６３号公報
【特許文献２】特開２００６−１４７３０６号公報
【発明の概要】
【０００４】
本開示の蓄電池の運転方法は、自然エネルギーを利用した発電機に蓄電池を併設させて、前記発電機の発電量に応じて前記蓄電池を充放電させる蓄電池の運転方法であって、前記発電機における各時刻の予想発電量と前記蓄電池の放電量又は充電量とを合成した合成出力における単位時間当たりの変化量が所定の範囲を満たすように、各時刻における前記合成出力の目標値を設定し、前記目標値に基づいて前記蓄電池を充放電させる。
【０００５】
本開示の蓄電池システムは、自然エネルギーを利用した発電機に併設されて、前記発電機の発電量に応じて充放電を行う蓄電池システムであって、前記発電機における各時刻の予想発電量に基づく値と、前記蓄電池の定格出力とを合成した仮の合成出力を演算する仮値演算部と、単位時間当たりの変化量が所定の範囲を満たすように前記仮の合成出力を修正して、各時刻における前記合成出力の目標値を演算する目標値演算部とを含む制御部を備える。
【０００６】
本開示のプログラムは、自然エネルギーを利用した発電機の発電量に応じて、前記発電機に併設される蓄電池を充放電させるために、コンピュータに、前記発電機における各時刻の予想発電量に基づく値と、前記蓄電池の定格出力とを合成した仮の合成出力を演算する仮値演算ステップと、単位時間当たりの変化量が所定の範囲を満たすように前記仮の合成出力を修正して、各時刻における前記合成出力の目標値を演算する目標値演算ステップとを実行させるためのものである。
【０００７】
本開示のウィンドファームは、上記の本開示の蓄電池システムを備える。
本開示の太陽光発電所は、上記の本開示の蓄電池システムを備える。
【０００８】
本発明は、上述のような特徴的な制御部を備える蓄電池システムとして実現することができるだけでなく、上述のような特徴的なステップをコンピュータに実行させるためのプログラムとして実現したり、上述のような特徴的な処理をステップとする蓄電池の運転方法として実現したりすることができる。
【図面の簡単な説明】
【０００９】
【図１】図１は、実施形態１の蓄電池システムの概略構成図及び機能ブロック図である。
【図２】図２は、実施形態１の蓄電池システムに備える演算部を中心とする機能ブロック図である。
【図３】図３は、指定時間帯（減少禁止）において放電優先値を設定する処理内容を示すフローチャートの一例である。
【図４】図４は、指定時間帯（減少禁止）において充電優先値を設定する処理内容を示すフローチャートの一例である。
【図５】図５は、指定時間帯（減少禁止）において中間値を設定する処理内容を示すフローチャートの一例である。
【図６】図６は、指定時間帯（増加禁止）において放電優先値を設定する処理内容を示すフローチャートの一例である。
【図７】図７は、指定時間帯（増加禁止）において充電優先値を設定する処理内容を示すフローチャートの一例である。
【図８】図８は、指定時間帯（増加禁止）において中間値を設定する処理内容を示すフローチャートの一例である。
【図９】図９は、指定時間帯（増減禁止）において放電優先値を設定する処理内容を示すフローチャートの一例である。
【図１０】図１０は、指定時間帯（増減禁止）において充電優先値を設定する処理内容を示すフローチャートの一例である。
【図１１】図１１は、指定時間帯（増減禁止）において中間値を設定する処理内容を示すフローチャートの一例である。
【図１２】図１２は、非指定時間帯において急減対応の処理内容を示すフローチャートの一例である。
【図１３】図１３は、非指定時間帯において急増対応の処理内容を示すフローチャートの一例である。
【図１４】図１４は、指定時間帯（減少禁止）において放電優先値の設定手順を説明する説明図である。
【図１５】図１５は、指定時間帯（減少禁止）において充電優先値の設定手順を説明する説明図である。
【図１６】図１６は、指定時間帯（減少禁止）において中間値の設定手順を説明する説明図である。
【図１７】図１７は、指定時間帯（増加禁止）において放電優先値の設定手順を説明する説明図である。
【図１８】図１８は、指定時間帯（増加禁止）において充電優先値の設定手順を説明する説明図である。
【図１９】図１９は、指定時間帯（増減禁止）において放電優先値の設定手順を説明する説明図である。
【図２０】図２０は、指定時間帯（増減禁止）において充電優先値の設定手順を説明する説明図である。
【図２１】図２１は、非指定時間帯において急減対応の合成出力の目標値の設定手順を説明する説明図である。
【図２２】図２２は、非指定時間帯において急増対応の合成出力の目標値の設定手順を説明する説明図である。
【発明を実施するための形態】
【００１０】
[本開示が解決しようとする課題]
風力や太陽光などの自然エネルギーを用いた発電では発電量が安定しておらず、負荷に発電電力をより安定して供給することが望まれる。上述のようにＲＦ電池などの蓄電池の電池出力と発電電力とを合成することで、負荷への供給電力を安定化し易い。特に、蓄電池の定格出力（蓄電池において連続して出力可能な放電量又は充電量）を発電機の定格出力（発電機において連続して出力可能な発電量）と同様程度とすれば、発電量が大きく変化しても（増減しても）、この変化に応じて蓄電池を充放電させることができる。そのため、電池出力と発電電力との合成出力に対して、例えば１分ごとの変化量といった短周期の変化量が所定の範囲を満たすように制限される場合でも、この制限要求を満たしつつ、負荷への電力供給を行える。しかし、この場合、定格出力が大きな大容量の蓄電池が必要である。従って、定格出力が小さく小容量の蓄電池であっても、上述のような短周期の変化量の制限要求に対応可能な蓄電池の運転方法が望まれる。
【００１１】
更に、例えば２時間や３時間といったある程度の長さの時間帯での変化量、いわば長周期の変化量が所定の範囲を満たすように制限されることも考えられる。例えば、朝方、夕方などの使用電力が増加し易い時間帯では負荷への供給電力を減少させないこと、深夜などの使用電力が減少し易い時間帯では負荷への供給電力を増加させないことが好ましいと考えられる。従って、小容量の蓄電池であっても、長周期の変化量の制限要求にも対応可能な蓄電池の運転方法が望まれる。
【００１２】
そこで、自然エネルギーを利用した発電機に併設される蓄電池が小容量なものであっても、負荷に安定して電力供給を行える蓄電池の運転方法を提供することを目的の一つとする。
【００１３】
また、自然エネルギーを利用した発電機に併設される蓄電池が小容量なものであっても、負荷に安定して電力供給を行える蓄電池システム、プログラム、ウィンドファーム、及び太陽光発電所を提供することを他の目的の一つとする。
【００１４】
[本開示の効果]
上記の蓄電池の運転方法、上記の蓄電池システム、上記のプログラム、上記ウィンドファーム、及び太陽光発電所によれば、自然エネルギーを利用した発電機に併設される蓄電池が小容量なものであっても、負荷に安定して電力供給を行える。
【００１５】
［本発明の実施の形態の説明］
最初に本発明の実施形態の内容を列記して説明する。
【００１６】
以下に記載する実施形態の少なくとも一部を任意に組み合わせてもよい。
（１）本発明の一態様に係る蓄電池の運転方法は、自然エネルギーを利用した発電機に蓄電池を併設させて、前記発電機の発電量に応じて前記蓄電池を充放電させる蓄電池の運転方法であって、前記発電機における各時刻の予想発電量と前記蓄電池の放電量又は充電量とを合成した合成出力における単位時間当たりの変化量が所定の範囲を満たすように、各時刻における前記合成出力の目標値を設定し、前記目標値に基づいて前記蓄電池を充放電させる。
【００１７】
予想発電量は、例えば、過去の発電実績や、発電機の設置場所における発電条件（風量や風向き、日照時間など）などに基づいて公知の手法により予測したものなどが挙げられる。
【００１８】
ここでの単位時間当たりの変化量とは、「単位時間」が１５分以下、更に１０分以下、５分以下といった比較的短時間での変化量であり、代表的には１分間当たりの変化量が挙げられる。以下、短周期の変化量と呼ぶことがある。
【００１９】
上記の蓄電池の運転方法によれば、発電機の予想発電量を利用して、発電機の出力（発電量）と蓄電池の出力（放電量又は充電量）とを合成した合成出力の目標値を設定する。予想発電量を利用するため、発電機における実際の発電状態に適切に対応した合成出力とすることができる。かつ、この合成出力の目標値における短周期の変化量が所定の範囲を満たすように上記目標値を設定する。短周期の変化量を考慮するため、短周期の変化量について制限が有る場合でも適切な合成出力とすることができる。このように特定の条件で上記目標値を設定するため、蓄電池の定格出力Ｒｂを、発電機の定格出力Ｒｇよりも小さく小容量としても、例えば発電機の定格出力Ｒｇの５０％以下程度としても、短周期の変化量の制限要求を満たして、負荷に安定して電力供給を行える。従って、上記の蓄電池の運転方法によれば、自然エネルギーを利用した発電機に併設される蓄電池が小容量であっても、負荷に安定して電力供給を行える。
（２）上記の蓄電池の運転方法の一例として、前記目標値を、所定の時間帯における前記合成出力の単位時間当たりの変化量が途中で減少しない、又は途中で増加しない、又は途中で増減しないように設定する形態が挙げられる。
【００２０】
上記形態では、単位時間当たりの変化量の変化方向を特定して合成出力の目標値を設定するため、所定の時間帯における短周期の変化量及び長周期の変化量が所定の範囲を満たすように上記目標値を設定できる。従って、上記形態によれば、短周期の変化量に加えて、長周期の変化量に制限が有る場合でも制限要求を満たして、負荷に安定して電力供給を行える。
（３）上記（２）の蓄電池の運転方法の一例として、前記所定の時間帯における前記目標値を、この時間帯の終了時刻以降における前記予想発電量に基づいて設定する形態が挙げられる。
【００２１】
上記形態では、所定の時間帯に加えて、この時間帯の終了時刻以降を考慮して合成出力の目標値を設定できる。従って、上記形態によれば、短周期の変化量について制限がある場合に所定の時間帯の終了時刻直後などで発電量が急変しても（急減又は急増しても）、制限要求をより確実に満たすことができ、負荷に安定して電力供給を行える。
（４）上記（２）又は上記（３）の蓄電池の運転方法の一例として、前記所定の時間帯における前記目標値として、前記蓄電池の放電量が前記発電機の発電抑制を低減可能な範囲において最大になる放電優先値、前記蓄電池の充電量が前記範囲において最大になる充電優先値、及び前記放電優先値と前記充電優先値との中間値から選択される少なくとも一つを設定する形態が挙げられる。
【００２２】
ここで、発電機の発電量が蓄電池の充電可能な量を超える場合、発電機による発電を抑制することが望まれるものの、この発電抑制は損失といえる。上記形態は、小容量の蓄電池を用いた場合でも発電機の発電抑制を可及的に低減可能な合成出力の目標値を設定できるため、発電抑制に起因する損失を低減し易い。
（５）本発明の一態様に係る蓄電池システムは、自然エネルギーを利用した発電機に併設されて、前記発電機の発電量に応じて充放電を行う蓄電池システムであって、前記発電機における各時刻の予想発電量に基づく値と、前記蓄電池の定格出力とを合成した仮の合成出力を演算する仮値演算部と、単位時間当たりの変化量が所定の範囲を満たすように前記仮の合成出力を修正して、各時刻における前記合成出力の目標値を演算する目標値演算部とを含む制御部を備える。
【００２３】
上記の蓄電池システムでは、制御部は、発電機の予想発電量と蓄電池の定格出力Ｒｂとを利用して発電機の出力と蓄電池の出力とを合成した仮の合成出力を求め、仮の合成出力における短周期の変化量が所定の範囲を満たすように修正して、この修正値に基づいて合成出力の目標値を設定する。予想発電量を利用するため、発電機における実際の発電状態に適切に対応した合成出力とすることができる。また、短周期の変化量を考慮するため、短周期の変化量について制限が有る場合でも適切な合成出力とすることができる。このように特定の条件で上記目標値を設定するため、蓄電池の定格出力Ｒｂを上述のように発電機の定格出力Ｒｇよりも小容量としても、短周期の変化量の制限要求を満たして、負荷に安定して電力供給を行える。従って、上記の蓄電池システムによれば、自然エネルギーを利用した発電機に併設される蓄電池が小容量であっても、負荷に安定して電力供給を行える。
（６）本発明の一態様に係るプログラムは、自然エネルギーを利用した発電機の発電量に応じて、前記発電機に併設される蓄電池を充放電させるために、コンピュータに、前記発電機における各時刻の予想発電量に基づく値と、前記蓄電池の定格出力とを合成した仮の合成出力を演算する仮値演算ステップと、単位時間当たりの変化量が所定の範囲を満たすように前記仮の合成出力を修正して、各時刻における前記合成出力の目標値を演算する目標値演算ステップとを実行させるためのものである。
【００２４】
上記のプログラムは、自然エネルギーを利用した発電機に併設される蓄電池の充放電を制御するコンピュータに利用する。上記のプログラムは、このコンピュータに、発電機の予想発電量と蓄電池の定格出力Ｒｂとを利用して発電機の出力と蓄電池の出力とを合成した仮の合成出力を求め、仮の合成出力における短周期の変化量が所定の範囲を満たすように修正して、この修正値に基づいて合成出力の目標値を設定することを実行させる。予想発電量を利用するため、発電機における実際の発電状態に適切に対応した合成出力とすることができる。また、短周期の変化量を考慮するため、短周期の変化量について制限が有る場合でも適切な合成出力とすることができる。このように特定の条件で上記目標値を設定するため、蓄電池の定格出力Ｒｂを上述のように発電機の定格出力Ｒｇよりも小容量としても、短周期の変化量の制限要求を満たして、負荷に安定して電力供給を行える。従って、上記のプログラムを上記コンピュータに実行させることで、上記蓄電池が小容量であっても、負荷に安定して電力供給を行える。
（７）上記のプログラムの一例として、前記目標値演算ステップでは、所定の時間帯における前記合成出力の単位時間当たりの変化量が途中で減少しない、又は途中で増加しない、又は途中で増減しないように前記仮の合成出力を修正する形態が挙げられる。
【００２５】
上記形態では、単位時間当たりの変化量の変化方向を特定して合成出力の目標値を設定するため、所定の時間帯における短周期の変化量及び長周期の変化量が所定の範囲を満たすように上記目標値を設定できる。従って、上記形態によれば、上述の蓄電池の充放電を制御するコンピュータに実行させることで、短周期の変化量に加えて、長周期の変化量に制限が有る場合でも制限要求を満たして、負荷に安定して電力供給を行える。
（８）上記（７）のプログラムの一例として、前記仮値演算ステップでは、前記所定の時間帯における前記仮の合成出力を、この時間帯外であってこの時間帯の終了時刻後の各時刻における前記予想発電量の単位時間当たりの変化量が前記所定の範囲を満たすように前記終了時刻における前記予想発電量に基づく値を演算し、この値を用いて演算する形態が挙げられる。
【００２６】
上記形態では、所定の時間帯の終了時刻における仮の合成出力をまず設定するため、所定の時間帯に加えて、この時間帯の終了時刻以降を考慮して合成出力の目標値を設定できる。従って、上記形態によれば、上述の蓄電池の充放電を制御するコンピュータに実行させることで、短周期の変化量について制限がある場合に所定の時間帯の終了時刻直後などで発電量が急変しても（急減又は急増しても）、制限要求をより確実に満たすことができ、負荷に安定して電力供給を行える。
（９）上記（７）又は上記（８）のプログラムの一例として、前記目標値演算ステップでは、前記所定の時間帯における前記目標値として、前記蓄電池の放電量が前記発電機の発電抑制を低減可能な範囲において最大になる放電優先値、前記蓄電池の充電量が前記範囲において最大になる充電優先値、及び前記放電優先値と前記充電優先値との中間値から選択される少なくとも一つを演算する形態が挙げられる。
【００２７】
上記形態は、小容量の蓄電池であっても、発電機の発電抑制を可及的に低減可能な合成出力の目標値を設定できるため、発電抑制に起因する損失を低減し易い。
【００２８】
なお、上記（６）から上記（９）のいずれか１つに記載のプログラムを記録したコンピュータ読取り可能な記録媒体を上述の蓄電池の充放電を制御するコンピュータに読み取らせて、上記のプログラムを実行させることで、上述のように自然エネルギーを利用した発電機に併設される蓄電池が小容量であっても、負荷に安定して電力供給を行える。
（１０）本発明の一態様に係るウィンドファームは、上記（５）に記載の蓄電池システムを備える。
【００２９】
上記のウィンドファームによれば、上述の蓄電池システムを備えるため、風力発電機に併設される蓄電池が小容量であっても、負荷に安定して電力供給を行える。
（１１）本発明の一態様に係る太陽光発電所は、上記（５）に記載の蓄電池システムを備える。
【００３０】
上記の太陽光発電所によれば、上述の蓄電池システムを備えるため、太陽光発電機に併設される蓄電池が小容量であっても、負荷に安定して電力供給を行える。
［本発明の実施形態の詳細］
以下、図面を適宜参照して、本発明の実施形態を具体的に説明する。図中、同一符号は同一名称物を示す。
［実施形態１］
（実施形態の概要）
図１を適宜参照して、実施形態１の蓄電池の運転方法、実施形態１の蓄電池システム１、及び実施形態１のプログラムの概要を説明する。
【００３１】
実施形態１の蓄電池の運転方法は、自然エネルギーを利用した発電機４２０に蓄電池１０を併設させて、発電機４２０の発電量に応じて蓄電池１０を充放電させることに利用される。この例では、発電機４２０として風力発電機、蓄電池１０としてレドックスフロー電池（ＲＦ電池）を例示する。蓄電池１０は、代表的には、交流／直流変換器４００や変電設備４１０などを介して、発電機４２０と、電力系統や需要家などの負荷４４０とに接続される。発電機４２０の発電量に応じて蓄電池１０を充放電させて、発電機４２０の発電量と蓄電池１０の充電量又は放電量とを合成した合成出力を負荷４４０に供給する。
【００３２】
実施形態１の蓄電池の運転方法は、発電機４２０における各時刻の予想発電量Ｐｅと蓄電池１０の放電量又は充電量とを合成した合成出力の単位時間当たりの変化量（短周期の変化量ΔＸ）が所定の範囲を満たすように、各時刻における合成出力の目標値Ｘｔを設定する。この設定した目標値Ｘｔに基づいて蓄電池１０を充放電させる。
【００３３】
実施形態１の蓄電池の運転方法の実施には、以下の実施形態１の蓄電池システム１を利用できる。実施形態１の蓄電池システム１は、自然エネルギーを利用した発電機４２０に併設されて、発電機４２０の発電量に応じて充放電を行うものである。蓄電池システム１は、蓄電池１０と、蓄電池１０の充放電を制御する制御部２とを備える。この制御部２は、発電機４２０における各時刻の予想発電量に基づく値と、蓄電池１０における定格出力とを合成した仮の合成出力Ｘｉを演算する仮値演算部２１と、単位時間当たりの変化量（短周期の変化量ΔＸ）が所定の範囲を満たすように仮の合成出力Ｘｉを修正して、各時刻における合成出力の目標値Ｘｔを演算する目標値演算部２２とを含む。実施形態１のウィンドファームは、風力発電機（発電機４２０）と、実施形態１の蓄電池システム１とを備える。
【００３４】
制御部２には、合成出力の目標値Ｘｔなどの演算値を演算可能な演算部２０を備えるコンピュータを利用できる。制御部２は、コンピュータを備えて構成され、制御部２の各機能はコンピュータの記憶装置に記憶されたコンピュータプログラム（以下の実施形態１のプログラム）がコンピュータのＣＰＵによって実行されることで発揮されるものとすることができる。例えば、制御部２は、実施形態１のプログラムを格納するハードディスクドライブ（ＨＤＤ）などの記憶部２０１を備えるものとすることができる。この場合、記憶部２０１から呼び出した以下の実施形態１のプログラムをコンピュータ（制御部２）に実行させることで、このプログラムに則って蓄電池１０を充放電させられる。実施形態１のプログラムは、自然エネルギーを利用した発電機４２０の発電量に応じて、発電機４２０に併設される蓄電池１０を充放電させるために、コンピュータ（制御部２）に以下のステップを実行させるためのものである。
（仮値演算ステップ）
発電機４２０における各時刻の予想発電量Ｐｅに基づく値と、蓄電池１０における定格出力Ｒｂとを合成した仮の合成出力Ｘｉを演算する。
（目標値演算ステップ）
単位時間当たりの変化量（短周期の変化量ΔＸ）が所定の範囲を満たすように仮の合成出力Ｘｉを修正して、各時刻における合成出力の目標値Ｘｔを演算する。
【００３５】
実施形態１のプログラムを記録したコンピュータ読取り可能な記録媒体を用意して、コンピュータ（制御部２）に実施形態１のプログラムを読み取らせて、記憶部２０１に格納することができる。この記録媒体としては、例えば、コンパクトディスク（ＣＤ）、デジタルヴァーサタイルディスク（ＤＶＤ）、その他、ユニバーサルシリアルバス（ＵＳＢ）、フラッシュドライブ、メモリカードといったコンピュータに着脱可能な各種の記録装置などが挙げられる。
（その他の基本構成など）
上述の制御部２は、演算部２０、記憶部２０１の他、種々の信号（情報）の入出力に使用する入出力部２０２、入力信号などに応じて種々の判定を行う判定部２０３、判定部２０３の判定結果や演算部２０の演算結果などに応じて各種の指令を出す命令部２０４、現在の時刻を測定するタイマ部２０５などを備えることができる。その他、制御部２には、入力内容や演算内容などを表示するモニタ３、作業者による情報の直接入力が可能な直接入力部４（例、キーボードなど）を接続すると、作業者による確認や操作などを行い易い。
【００３６】
記憶部２０１には発電機４２０の予想発電量を保存しておき、演算部２０が記憶部２０１から予想発電量を呼び出して演算に利用できるように、制御部２を構成する。また、演算部２０が、例えば連続した数時間分の合成出力の目標値Ｘｔを一度に設定するように、制御部２を構成することができる（後述の具体例参照）。このようにある程度連続した時間についての目標値Ｘｔを一度に設定すれば、即ち所定の設定区間ごとに目標値Ｘｔを設定すれば、設定操作を間欠的に行えばよく、効率的である。設定区間の長さを例えば１時間以上１０時間以下程度、更に２時間以上７時間以下程度とすれば、予定発電量と実際の発電量との差に基づく合成出力のずれが生じた場合でも、このずれを是正し易かったり、目標値Ｘｔの演算処理が煩雑になり難かったりする。例えば、設定区間の長さや開始時刻及び終了時刻と、目標値Ｘｔの演算処理を行う時刻とを予め設定しておき、判定部２０３は、タイマ部２０５から現在の時刻を呼び出して、演算処理の実行時刻か否かを判定し、実行時刻であれば、演算部２０は所定の設定区間についての目標値Ｘｔの演算処理を行うように、制御部２を構成することができる。また、判定部２０３は、設定区間に後述する指定時間帯を含むか否か判定し、この判定結果に応じて、演算部２０は所定の設定区間についての目標値Ｘｔの演算処理を行うように、制御部２を構成することができる。
【００３７】
風力発電機やＲＦ電池は、公知の構成のものが利用できる。ＲＦ電池は、代表的には、電池セル１０Ｃと、電池セル１０Ｃに電解液を供給する供給機構とを備える。電池セル１０Ｃは、正極電解液が供給される正極電極１４と、負極電解液が供給される負極電極１５と、電極１４，１５間に介在される隔膜１１とを備える。図１では、単一の電池セル１０Ｃを示すが、代表的には、複数の電池セル１０Ｃが積層されたセルスタックと呼ばれる積層体が利用される。供給機構は、各極の電解液を貯留する正極タンク１６及び負極タンク１７と、タンク１６，１７と電池セル１０Ｃ間を接続する配管１６２，１６４，１７２，１７４と、供給側の配管１６２，１７２に設けられるポンプ１６０，１７０とを備える。図１において、各タンク１６，１７内に示すイオンは、各極の電解液中に含むイオン種の一例を示す。
（合成出力の目標値の設定手順）
以下、実施形態１の蓄電池の運転方法、実施形態１の蓄電池システム１に備える制御部２、実施形態１のプログラムについて、合成出力の目標値Ｘｔの設定手順を以下のパタン［１］，［２］ごとに詳細に説明する。［１］，［２］ではいずれも、設定区間の長さを２時間〜７時間から選択される時間とする。
（（パタンの概要））
［１］設定区間に、発電機の予想発電量と蓄電池の放電量又は充電量とを合成した合成出力の単位時間当たりの変化量（短周期の変化量ΔＸ）の増減方向を指定する時間帯（以下、指定時間帯と呼ぶことがある）を設ける場合
この場合は、合成出力の短周期の変化量ΔＸに加えて、合成出力の長周期の変化量も所定の範囲を満たすように、合成出力の目標値Ｘｔを設定する。
［１−Ａ］短周期の変化量ΔＸの減少を禁止する時間帯を設ける場合
［１−Ｂ］短周期の変化量ΔＸの増加を禁止する時間帯を設ける場合
［１−Ｃ］短周期の変化量ΔＸの増減を禁止する時間帯を設ける場合
［２］設定区間において短周期の変化量ΔＸの増減方向を指定しない場合（非指定時間帯）
この場合は、合成出力の短周期の変化量ΔＸが所定の範囲を満たすように、合成出力の目標値Ｘｔを設定する。
【００３８】
［１−Ａ］の場合、実施形態１の蓄電池の運転方法として、合成出力の目標値Ｘｔを、この時間帯における合成出力の短周期の変化量ΔＸが所定の範囲を満たすと共に、途中で減少しないように設定する、即ち、増加するように又は実質的に増減せず一定の値を維持するように設定することが挙げられる。実施形態１のプログラムとして、目標値演算ステップでは、この時間帯における合成出力の短周期の変化量ΔＸが所定の範囲を満たすと共に、途中で減少しないように仮の合成出力Ｘｉを修正して、合成出力の目標値Ｘｔを演算する構成とすることが挙げられる。
【００３９】
［１−Ｂ］の場合、実施形態１の蓄電池の運転方法として、合成出力の目標値Ｘｔを、この時間帯における合成出力の短周期の変化量ΔＸが所定の範囲を満たすと共に、途中で増加しないように設定する、即ち、減少するように又は実質的に増減せず一定の値を維持するように設定することが挙げられる。実施形態１のプログラムとして、目標値演算ステップでは、この時間帯における合成出力の短周期の変化量ΔＸが所定の範囲を満たすと共に、途中で増加しないように仮の合成出力Ｘｉを修正して、合成出力の目標値Ｘｔを演算する構成とすることが挙げられる。
【００４０】
［１−Ｃ］の場合、実施形態１の蓄電池の運転方法として、合成出力の目標値Ｘｔを、この時間帯における合成出力の短周期の変化量ΔＸが所定の範囲を満たすと共に、途中で実質的に増減しないように設定することが挙げられる。実施形態１のプログラムとして、目標値演算ステップでは、この時間帯における合成出力の短周期の変化量ΔＸが所定の範囲を満たすと共に、途中で実質的に増減しないように仮の合成出力Ｘｉを修正して、合成出力の目標値Ｘｔを演算する構成とすることが挙げられる。
【００４１】
指定時間帯を設ける［１］の場合、上述のように合成出力の目標値Ｘｔを設定することで、短周期の変化量に加えて、長周期の変化量に制限が有る場合でも制限要求を満たして、負荷４４０に安定して電力供給を行える。また、［１−Ａ］，［１−Ｂ］，［１−Ｃ］という三つの指定時間帯の少なくとも一つについて、この時間帯における目標値Ｘｔを、この時間帯の終了時刻以降における予想発電量Ｐｅに基づいて設定することが好ましい。指定時間帯の終了時刻以降を考慮して目標値Ｘｔを設定することで、指定時間帯直後などで発電量が急減又は急増しても、合成出力の短周期の変化量ΔＸが所定の範囲をより確実に満たせて、負荷４４０に安定して電力供給を行えるからである。この場合、例えば、指定時間帯の終了時刻における合成出力を目標値Ｘｔの設定開始値とすることが挙げられる。更に、上述の三つの指定時間帯の少なくとも一つについて、その時間帯における目標値Ｘｔとして、蓄電池１０の放電量が発電機４２０の発電抑制を低減可能な範囲において最大になる放電優先値Ｘｄ、蓄電池１０の充電量が上記範囲において最大になる充電優先値Ｘｃ、及び放電優先値Ｘｄと充電優先値Ｘｃとの中間値Ｘｍから選択される一つを設定することができる。この場合、発電機４２０の発電抑制を可及的に低減可能な目標値Ｘｔを設定できるため、発電抑制に起因する損失を低減し易い。上記の三つの値のうち、複数の値を候補として設定し、複数の候補から目標値Ｘｔを選択可能な構成とすることもできる。
【００４２】
非指定時間帯とする［２］の場合、上述のように合成出力の目標値Ｘｔを設定することで、短周期の変化量に制限が有る場合でも制限要求を満たして、負荷４４０に安定して電力供給を行える。
（（パタンごとの設定手順の概要））
まず、図２から図１３を参照して、合成出力の目標値Ｘｔを設定する処理手順と、各手順と機能ブロック図（図２）の各部との対応関係についてのみ説明し、その後に、図１４から図２２を参照してより詳細な説明を行う。
【００４３】
以下、図２から図１１を参照して、［１］の場合について、合成出力の目標値Ｘｔとして、（１）放電優先値Ｘｄ、（２）充電優先値Ｘｃ、（３）中間値Ｘｍを設定する手順を説明する。ここでは、［１−Ａ］，［１−Ｂ］，［１−Ｃ］に示す各指定時間帯の終了時刻における予想発電量Ｐｅに基づいて目標値Ｘｔを設定する場合を例示する。また、ここでは、上記各指定時間帯外であって上記各指定時間帯の前後に続く所定の長さの時間帯を調整時間帯と呼び、調整時間帯における合成出力の目標値も合わせて設定する場合を例示する。つまり、ここでの目標値Ｘｔの設定区間は、指定時間帯と、調整時間帯とを含む。なお、調整時間帯における合成出力の目標値は、別途設定することもできる。この場合、［２］の設定手順を利用することが挙げられる。この例のように指定時間帯及び調整時間帯における合成出力の目標値Ｘｔをまとめて設定すると、効率的である上に、合成出力の短周期の変化量ΔＸが所定の範囲を逸脱し難い目標値を設定し易いと考えられる。
［１−Ａ］減少禁止の時間帯を設ける場合
（１）放電優先値Ｘｄ
この場合、実施形態１のプログラムを、以下のステップをコンピュータ（制御部２）に実行させるように構成することが挙げられる（図３）。
【００４４】
合成出力の短周期の変化量ΔＸの減少を禁止する時間帯（指定時間帯）における合成出力の目標値Ｘｔを設定する場合、指定時間帯外であって指定時間帯の終了時刻ｔｅ後の各時刻における予想発電量Ｐｅの単位時間当たりの変化量が所定の範囲を満たすように終了時刻ｔｅにおける予想発電量に基づく値を演算し、この演算値Ｐに蓄電池１０の定格出力Ｒｂを合成して（ここでは（Ｐ＋Ｒｂ））、終了時刻ｔｅにおける仮の合成出力（基準値Ｘｅ）を演算する基準値演算ステップ（ＳＡ−１）
終了時刻ｔｅから指定時間帯の開始時刻ｔｓ側に向かって、発電機４２０における各時刻の予想発電量Ｐｅと蓄電池１０の定格出力Ｒｂとを合成した値（ここでは（Ｐｅ＋Ｒｂ））と基準値Ｘｅとを比較し、小さい方を仮の合成出力Ｘｉとして抽出する仮値抽出ステップ（ＳＡ−２）
抽出した仮の合成出力Ｘｉにおいて短周期の変化量ΔＸが所定の範囲を超える部分及び仮の合成出力Ｘｉが減少する部分が有れば、所定の範囲を満たすと共に減少しないように仮の合成出力Ｘｉを修正する仮値修正ステップ（ＳＡ−３）
指定時間帯外であって指定時間帯の開始時刻ｔｓ前における所定の時間帯（調整時間帯）について、開始時刻ｔｓの仮の合成出力Ｘｓを基準として、蓄電池１０を最も放電させるときの合成出力を演算する放電仮値演算ステップ（ＳＡ−４）
演算した放電仮値を含む仮の合成出力Ｘｉにおいて、短周期の変化量ΔＸが所定の範囲を超える部分が有れば、所定の範囲を満たすように、調整時間帯から指定時間帯側に向かって仮の合成出力Ｘｉを修正する放電仮値修正ステップ（ＳＡ−５）
上記のプログラムでは、基準値演算ステップＳＡ−１と仮値抽出ステップＳＡ−２とで仮値演算ステップをなし、仮値修正ステップＳＡ−３と放電仮値演算ステップＳＡ−４と放電仮値修正ステップＳＡ−５とで目標値演算ステップをなす。仮値演算ステップでは、この時間帯における仮の合成出力Ｘｉを、演算値Ｐを用いて演算する。目標値演算ステップでは、放電仮値修正ステップＳＡ−５で修正した値が最終的に合成出力の目標値Ｘｔに相当し、この時間帯における目標値Ｘｔとして、放電優先値Ｘｄを演算する。ここでの放電優先値Ｘｄは、上述のように発電機４２０の発電抑制を低減可能な範囲での最大値である（後述する充電優先値Ｘｃ、［１−Ｂ］、[１−Ｃ]も同様）。
【００４５】
この場合、実施形態１の蓄電池システム１における仮値演算部２１は、図２に示すように上述の基準値Ｘｅを演算する基準値演算部Ａ１、上述の仮の合成出力Ｘｉを抽出する仮値抽出部Ａ２を備えることが挙げられる。目標値演算部２２は、上述の抽出した仮の合成出力Ｘｉを修正する仮値修正部Ａ３、上述の最も放電させるときの合成出力を演算する放電仮値演算部Ａ４、上述のように放電仮値を含む仮の合成出力Ｘｉを修正する放電仮値修正部Ａ５を備えることが挙げられる。
（２）充電優先値Ｘｃ
この場合、実施形態１のプログラムを、以下のステップをコンピュータ（制御部２）に実行させるように構成することが挙げられる（図４）。
【００４６】
合成出力の短周期の変化量ΔＸの減少を禁止する時間帯（指定時間帯）における合成出力の目標値Ｘｔを設定する場合、発電機４２０における各時刻の予想発電量Ｐｅと蓄電池の定格出力Ｒｂとを合成した仮の合成出力Ｘｉ（ここでは（Ｐｅ−Ｒｂ））を演算する仮値演算ステップ（ＳＡ−６）
演算した仮の合成出力Ｘｉにおいて短周期の変化量ΔＸが所定の範囲を超える部分及び仮の合成出力Ｘｉが減少する部分が有れば、所定の範囲を満たすと共に減少しないように仮の合成出力Ｘｉを修正する仮値修正ステップ（ＳＡ−７）
ここで、仮値修正ステップにおいて、上述の放電優先値Ｘｄを先に設定している場合には、仮の合成出力Ｘｉにおいて放電優先値Ｘｄを超える部分があれば、放電優先値Ｘｄを満たすように修正することができる。
【００４７】
指定時間帯外であって指定時間帯の開始時刻ｔｓ前における所定の時間帯（調整時間帯）について、開始時刻ｔｓの仮の合成出力Ｘｓを基準として、蓄電池１０を最も充電させるときの合成出力を演算する充電仮値演算ステップ（ＳＡ−８）
演算した充電仮値を含む仮の合成出力Ｘｉにおいて、短周期の変化量ΔＸが所定の範囲を超える部分が有れば、所定の範囲を満たすように、調整時間帯から指定時間帯側に向かって仮の合成出力Ｘｉを修正する充電仮値修正ステップ（ＳＡ−９）
上記のプログラムでは、仮値修正ステップＳＡ−７と充電仮値演算ステップＳＡ−８と充電仮値修正ステップＳＡ−９とで目標値演算ステップをなす。目標値演算ステップでは、充電仮値修正ステップＳＡ−９で修正した値が最終的に合成出力の目標値Ｘｔに相当し、この時間帯における目標値Ｘｔとして、充電優先値Ｘｃを演算する。
【００４８】
この場合、実施形態１の蓄電池システム１における仮値演算部２１を、上述のように仮の合成出力Ｘｉ（Ｐｅ−Ｒｂ）を演算するように構成する。目標値演算部２２は、図２に示すように、上述の演算した仮の合成出力Ｘｉを修正する仮値修正部Ａ７、上述の最も充電させるときの合成出力を演算する充電仮値演算部Ａ８、上述のように充電仮値を含む仮の合成出力Ｘｉを修正する充電仮値修正部Ａ９を備えることが挙げられる。
（３）中間値Ｘｍ
この場合、実施形態１のプログラムを、上述のステップＳＡ−１からＳＡ−９、及び以下のステップをコンピュータ（制御部２）に実行させるように構成することが挙げられる（図５）。
【００４９】
放電優先値Ｘｄと充電優先値Ｘｃとを合成した中間値Ｘｍを仮の合成出力Ｘｉとして演算する中間値演算ステップ（ＳＡ−１０）
指定時間帯外であって指定時間帯の開始時刻ｔｓ前における所定の時間帯（調整時間帯）の合成出力を含む仮の合成出力Ｘｉ（中間値Ｘｍ）における短周期の変化量ΔＸが、開始時刻前の実際の合成出力Ｘｒを基準として所定の範囲を超える部分が有れば、所定の範囲を満たすように仮の合成出力Ｘｉ（中間値Ｘｍ）を修正する指定外修正ステップ（ＳＡ−１１）
上記のプログラムでは、中間値演算ステップＳＡ−１０と指定外修正ステップＳＡ−１１とで目標値演算ステップをなす。目標値演算ステップでは、指定外修正ステップＳＡ−１１で修正した値が最終的に合成出力の目標値Ｘｔに相当し、この時間帯における目標値Ｘｔとして、中間値Ｘｍを演算する。
【００５０】
この場合、実施形態１の蓄電池システム１における目標値演算部２２は、上述の中間値Ｘｍを演算する中間値演算部Ａ１０、上述のように調整時間帯の合成出力を含む仮の合成出力Ｘｉを修正する指定外修正部Ａ１１を備えることが挙げられる（図２参照）。
（４）目標値の決定、選択
放電優先値Ｘｄ、充電優先値Ｘｃ、及び中間値Ｘｍから選択される一つをそのまま、合成出力の目標値Ｘｔとして利用することができる。この場合、演算部２０は合成出力の目標値Ｘｔを設定する処理内容に応じた各要素を備えるとよく、図２に示す各要素を適宜省略できる。目標値Ｘｔとして放電優先値Ｘｄを利用する場合、蓄電池１０は放電量を高精度に制御できるため、例えば、負荷４４０への供給電力をより安定し易い。目標値Ｘｔとして充電優先値Ｘｃを利用する場合、発電電力をより多く充電できるため、例えば、発電電力の利用率を高め易い。目標値Ｘｔとして中間値Ｘｍを利用する場合、例えば、供給電力の安定化と発電電力の利用率の向上とをバランスよく図ることができる。
【００５１】
又は、上述の三つの値を全て求めて、条件に応じて適切なものを選択する構成とすることができる。この場合、実施形態１のプログラムを、以下のステップをコンピュータ（制御部２）に実行させるように構成することが挙げられる。
【００５２】
各時刻において、充電優先値Ｘｃと、発電機４２０の予想発電量Ｐｅと、蓄電池１０の予想残存容量とを比較して、予想残存容量が所定の範囲以下（例えばゼロ）となる時刻が存在する場合には、充電優先値Ｘｃを選択すると共に予想残存容量の不足分に応じて合成出力の目標値Ｘｔを修正し、
各時刻において、中間値Ｘｍと、発電機４２０の予想発電量Ｐｅと、蓄電池１０の予想残存容量とを比較して、予想残存容量が所定の範囲以下（例えばゼロ）となる時刻が存在する場合には充電優先値Ｘｃを選択し、
各時刻において、放電優先値Ｘｄ及び中間値Ｘｍのそれぞれと、発電機４２０の予想発電量Ｐｅと、蓄電池１０の予想残存容量とを比較して、いずれも予想残存容量が所定の範囲以下（例えばゼロ）となる時刻が無く、かつ蓄電池１０の予想残存容量が所定の範囲以上（例えば満充電）になる時刻が存在する場合には放電優先値Ｘｄを選択し、
上記のいずれの場合にも該当しないときには中間値Ｘｍを選択する目標値選択ステップ（ＳＡ−１２）
この場合、実施形態１の蓄電池システム１における制御部２の演算部２０は、上述のように合成出力の目標値Ｘｔを三つの候補から選択する目標値選択部２３を備えることが挙げられる（図２参照）。
【００５３】
上述のように蓄電池１０の残存容量を考慮して、合成出力の目標値Ｘｔを選択することで、蓄電池システム１の運転時に残存容量の不足や満充電に起因して、合成出力の短周期の変化量ΔＸが所定の範囲を逸脱することをより確実に防止できる。なお、目標値Ｘｔを修正しても、蓄電池１０が余剰の発電量を充電できない可能性がある場合には、その時刻における発電機４２０の発電を制限することが挙げられる（後述する［２］の場合も同様）。
［１−Ｂ］増加禁止の時間帯を設ける場合
（１）放電優先値Ｘｄ
この場合、実施形態１のプログラムを、以下のステップをコンピュータ（制御部２）に実行させるように構成することが挙げられる（図６）。
【００５４】
合成出力の短周期の変化量ΔＸの増加を禁止する時間帯（指定時間帯）における合成出力の目標値Ｘｔを設定する場合、指定時間帯外であって指定時間帯の終了時刻ｔｅ後の各時刻における予想発電量Ｐｅの単位時間当たりの変化量が所定の範囲を満たすように終了時刻ｔｅにおける予想発電量Ｐｅに基づく値を演算し、この演算値Ｐに蓄電池１０の定格出力Ｒｂを合成して、終了時刻ｔｅにおける仮の合成出力（ここでは（Ｐ＋Ｒｂ））を演算すると共に、終了時刻ｔｅから指定時間帯の開始時刻ｔｓ側に向かって、発電機４２０における各時刻の予想発電量Ｐｅと蓄電池１０の定格出力Ｒｂとを合成した仮の合成出力Ｘｉ（ここでは（Ｐｅ＋Ｒｂ））を演算する仮値演算ステップ（ＳＢ−１）
演算した仮の合成出力Ｘｉにおいて短周期の変化量ΔＸが所定の範囲を超える部分及び仮の合成出力Ｘｉが増加する部分が有れば、所定の範囲を満たすと共に増加しないように仮の合成出力Ｘｉが修正する仮値修正ステップ（ＳＢ−２）
指定時間帯外であって指定時間帯の開始時刻ｔｓ前における所定の時間帯（調整時間帯）について、開始時刻ｔｓの仮の合成出力Ｘｓを基準として、蓄電池１０を最も放電させるときの合成出力を演算する放電仮値演算ステップ（ＳＢ−３）
演算した放電仮値を含む仮の合成出力Ｘｉにおいて、短周期の変化量ΔＸが所定の範囲を超える部分が有れば、所定の範囲を満たすように、調整時間帯から指定時間帯側に向かって仮の合成出力Ｘｉを修正する放電仮値修正ステップ（ＳＢ−４）
上記のプログラムにおいて仮値演算ステップでは、この時間帯における仮の合成出力Ｘｉを、演算値Ｐを用いて演算する。上記のプログラムでは、仮値修正ステップＳＢ−２と放電仮値演算ステップＳＢ−３と放電仮値修正ステップＳＢ−４とで目標値演算ステップをなす。目標値演算ステップでは、放電仮値修正ステップＳＢ−４で修正した値が最終的に合成出力の目標値Ｘｔに相当し、この時間帯における目標値Ｘｔとして、放電優先値Ｘｄを演算する。
【００５５】
この場合、実施形態１の蓄電池システム１における仮値演算部２１を、上述のようにこの時間帯の終了時刻における合成出力をその他の時刻とは別に演算するように構成する。目標値演算部２２は、上述の演算した仮の合成出力Ｘｉを修正する仮値修正部Ｂ２、上述の最も放電させるときの合成出力を演算する放電仮値演算部Ｂ３、上述のように放電仮値を含む仮の合成出力Ｘｉを修正する放電仮値修正部Ｂ４を備えることが挙げられる（図２参照）。
（２）充電優先値Ｘｃ
この場合、実施形態１のプログラムを、以下のステップをコンピュータ（制御部２）に実行させるように構成することが挙げられる（図７）。
【００５６】
合成出力の短周期の変化量ΔＸの増加を禁止する時間帯（指定時間帯）における合成出力の目標値Ｘｔを設定する場合、発電機４２０における各時刻の予想発電量Ｐｅと蓄電池の定格出力Ｒｂとを合成した仮の合成出力Ｘｉ（ここでは（Ｐｅ−Ｒｂ））を演算する仮値演算ステップ（ＳＢ−５）
演算した仮の合成出力Ｘｉにおいて短周期の変化量ΔＸが所定の範囲を超える部分及び仮の合成出力Ｘｉが増加する部分が有れば、所定の範囲を満たすと共に増加しないように仮の合成出力Ｘｉを修正する仮値修正ステップ（ＳＢ−６）
ここで、仮値修正ステップにおいて、上述の放電優先値Ｘｄを先に設定している場合には、仮の合成出力Ｘｉにおいて放電優先値Ｘｄを超える部分があれば、放電優先値Ｘｄを満たすように修正することができる。
【００５７】
指定時間帯外であって指定時間帯の開始時刻ｔｓ前における所定の時間帯（調整時間帯）について、開始時刻ｔｓの仮の合成出力Ｘｓを基準として、蓄電池１０を最も充電させるときの合成出力を演算する充電仮値演算ステップ（ＳＢ−７）
演算した充電仮値を含む仮の合成出力Ｘｉにおいて、短周期の変化量ΔＸが所定の範囲を超える部分が有れば、所定の範囲を満たすように、調整時間帯から指定時間帯側に向かって仮の合成出力Ｘｉを修正する充電仮値修正ステップ（ＳＢ−８）
上記のプログラムでは、仮値修正ステップＳＢ−６と充電仮値演算ステップＳＢ−７と充電仮値修正ステップＳＢ−８とで目標値演算ステップをなす。目標値演算ステップでは、充電仮値修正ステップＳＢ−８で修正した値が最終的に合成出力の目標値Ｘｔに相当し、この時間帯における目標値Ｘｔとして、充電優先値Ｘｃを演算する。
【００５８】
この場合、実施形態１の蓄電池システム１における仮値演算部２１を、仮の合成出力Ｘｉ（ここでは（Ｐｅ−Ｒｂ））を演算するように構成する。目標値演算部２２は、上述の演算した仮の合成出力Ｘｉを修正する仮値修正部Ｂ６、上述の最も充電させるときの合成出力を演算する充電仮値演算部Ｂ７、上述のように充電仮値を含む仮の合成出力Ｘｉを修正する充電仮値修正部Ｂ８を備えることが挙げられる（図２参照）。
（３）中間値Ｘｍ
この場合、実施形態１のプログラムを、上述のステップＳＢ−１からＳＢ−８、及び以下のステップをコンピュータ（制御部２）に実行させるように構成することが挙げられる（図８）。
【００５９】
放電優先値Ｘｄと充電優先値Ｘｃとを合成した中間値Ｘｍを仮の合成出力Ｘｉとして演算する中間値演算ステップ（ＳＢ−９）
指定時間帯外であって指定時間帯の開始時刻ｔｓ前における所定の時間帯（調整時間帯）の合成出力を含む仮の合成出力Ｘｉ（中間値Ｘｍ）における短周期の変化量ΔＸが、開始時刻前の実際の合成出力Ｘｒを基準として所定の範囲を超える部分が有れば、所定の範囲を満たすように仮の合成出力Ｘｉ（中間値Ｘｍ）を修正する指定外修正ステップ（ＳＢ−１０）
上記のプログラムでは、中間値演算ステップＳＢ−９と指定外修正ステップＳＢ−１０とで目標値演算ステップをなす。目標値演算ステップでは、指定外修正ステップＳＢ−１０で修正した値が最終的に合成出力の目標値Ｘｔに相当し、この時間帯における目標値Ｘｔとして、中間値Ｘｍを演算する。
【００６０】
この場合、実施形態１の蓄電池システム１における目標値演算部２２は、上述の中間値Ｘｍを演算する中間値演算部Ｂ９、上述のように調整時間帯の合成出力を含む仮の合成出力Ｘｉを修正する指定外修正部Ｂ１０を備えることが挙げられる（図２参照）。
【００６１】
［１−Ｂ］の場合も、放電優先値Ｘｄ、充電優先値Ｘｃ、及び中間値Ｘｍから選択される一つをそのまま合成出力の目標値Ｘｔとして利用する形態、又はこれらの三つの値から条件に応じて選択する形態とすることができる。各形態の詳細は、上述の［１−Ａ］（４）を参照するとよい。
［１−Ｃ］増減禁止の時間帯を設ける場合
（１）放電優先値Ｘｄ
この場合、実施形態１のプログラムを、以下のステップをコンピュータ（制御部２）に実行させるように構成することが挙げられる（図９）。
【００６２】
合成出力の短周期の変化量ΔＸの増減を禁止する時間帯（指定時間帯）における合成出力の目標値Ｘｔを設定する場合、指定時間帯外であって指定時間帯の終了時刻ｔｅ後の各時刻における予想発電量Ｐｅの単位時間当たりの変化量が所定の範囲を満たすように終了時刻ｔｅにおける予想発電量Ｐｅに基づく値を演算し、この演算値Ｐを含めてこの時間帯における各時刻の予想発電量Ｐｅの最小値Ｐｍｉｎを抽出する最小値演算ステップ（ＳＣ−１）
演算した最小値Ｐｍｉｎに蓄電池１０の定格出力Ｒｂを合成した一定値（ここでは（Ｐｍｉｎ＋Ｒｂ））を仮の合成出力Ｘｉとして演算する一定値演算ステップ（ＳＣ−２）
指定時間帯外であって指定時間帯の開始時刻ｔｓ前における所定の時間帯（調整時間帯）について、開始時刻ｔｓの仮の合成出力Ｘｓを基準として、蓄電池１０を最も放電させるときの合成出力を演算する放電仮値演算ステップ（ＳＣ−３）
演算した放電仮値を含む仮の合成出力Ｘｉにおいて、短周期の変化量ΔＸが所定の範囲を超える部分が有れば、所定の範囲を満たすように、調整時間帯から指定時間帯側に向かって仮の合成出力Ｘｉを修正する放電仮値修正ステップ（ＳＣ−４）
上記のプログラムでは、最小値演算ステップＳＣ−１と一定値演算ステップＳＣ−２とで仮値演算ステップをなし、放電仮値演算ステップＳＣ−３と放電仮値修正ステップＳＣ−４とで目標値演算ステップをなす。仮値演算ステップでは、この時間帯における仮の合成出力Ｘｉを、演算値Ｐを用いて演算する。目標値演算ステップでは、放電仮値修正ステップＳＣ−４で修正した値が最終的に合成出力の目標値Ｘｔに相当し、この時間帯における目標値Ｘｔとして、放電優先値Ｘｄを演算する。
【００６３】
この場合、実施形態１の蓄電池システム１における仮値演算部２１は、図２に示すように上述の最小値Ｐｍｉｎを演算する最小値演算部Ｃ１、上述の一定値（Ｐｍｉｎ＋Ｒｂ）を演算する一定値演算部Ｃ２を備えることが挙げられる。目標値演算部２２は、上述の最も放電させるときの合成出力を演算する放電仮値演算部Ｃ３、上述のように放電仮値を含む仮の合成出力Ｘｉを修正する放電仮値修正部Ｃ４を備えることが挙げられる。
（２）充電優先値Ｘｃ
この場合、実施形態１のプログラムを、以下のステップをコンピュータ（制御部２）に実行させるように構成することが挙げられる（図１０）。
【００６４】
合成出力の短周期の変化量ΔＸの増減を禁止する時間帯（指定時間帯）における合成出力の目標値Ｘｔを設定する場合、指定時間帯外であって指定時間帯の終了時刻ｔｅ後の各時刻における予想発電量Ｐｅの単位時間当たりの変化量が所定の範囲を満たすように終了時刻ｔｅにおける予想発電量Ｐｅに基づく値を演算し、この演算値Ｐを含めて指定時間帯における各時刻の予想発電量Ｐｅの最大値Ｐｍａｘを抽出する最大値演算ステップ（ＳＣ−５）
演算した最大値Ｐｍａｘに蓄電池１０の定格出力Ｒｂを合成した一定値（ここでは（Ｐｍｉｎ−Ｒｂ））を仮の合成出力Ｘｉとして演算する一定値演算ステップ（ＳＣ−６）
ここで、一定値演算ステップにおいて、上述の放電優先値Ｘｄを設定している場合には、仮の合成出力Ｘｉが放電優先値Ｘｄを超えていれば、放電優先値Ｘｄに修正することができる。
【００６５】
指定時間帯外であって指定時間帯の開始時刻ｔｓ前における所定の時間帯（調整時間帯）について、開始時刻ｔｓの仮の合成出力Ｘｓを基準として、蓄電池１０を最も充電させるときの合成出力を演算する充電仮値演算ステップ（ＳＣ−７）
演算した充電仮値を含む仮の合成出力Ｘｉにおいて、短周期の変化量ΔＸが所定の範囲を超える部分が有れば、所定の範囲を満たすように、調整時間帯から指定時間帯側に向かって仮の合成出力Ｘｉを修正する充電仮値修正ステップ（ＳＣ−８）
上記のプログラムでは、最大値演算ステップＳＣ−５と一定値演算ステップＳＣ−６とで仮値演算ステップをなし、充電仮値演算ステップＳＣ−７と充電仮値修正ステップＳＣ−８とで目標値演算ステップをなす。仮値演算ステップでは、この時間帯における仮の合成出力Ｘｉを、演算値Ｐを用いて演算する。目標値演算ステップでは、充電仮値修正ステップＳＣ−８で修正した値が最終的に合成出力の目標値Ｘｔに相当し、この時間帯における目標値Ｘｔとして、充電優先値Ｘｃを演算する。
【００６６】
この場合、実施形態１の蓄電池システム１における仮値演算部２１は、図２に示すように上述の最大値Ｐｍａｘを演算する最大値演算部Ｃ５、上述の一定値（Ｐｍｉｎ−Ｒｂ）を演算する一定値演算部Ｃ６を備えることが挙げられる。目標値演算部２２は、上述の最も充電させるときの合成出力を演算する充電仮値演算部Ｃ７、上述のように充電仮値を含む仮の合成出力Ｘｉを修正する充電仮値修正部Ｃ８を備えることが挙げられる。
（３）中間値Ｘｍ
この場合、実施形態１のプログラムを、上述のステップＳＣ−１からＳＣ−８、及び以下のステップをコンピュータ（制御部２）に実行させるように構成することが挙げられる（図１１）。
【００６７】
放電優先値Ｘｄと充電優先値Ｘｃとを合成した中間値Ｘｍを演算する中間値演算ステップ（ＳＣ−９）
指定時間帯外であって指定時間帯の開始時刻ｔｓ前における所定の時間帯（調整時間帯）の合成出力を含む仮の合成出力Ｘｉ（中間値Ｘｍ）における短周期の変化量ΔＸが、開始時刻前の実際の合成出力Ｘｒを基準として所定の範囲を超える部分が有れば、所定の範囲を満たすように仮の合成出力Ｘｉ（中間値Ｘｍ）を修正する指定外修正ステップ（ＳＣ−１０）
上記のプログラムでは、中間値修正ステップＳＣ−９と指定外修正ステップＳＣ−１０とで目標値演算ステップをなす。目標値演算ステップでは、指定外修正ステップＳＣ−１０で修正した値が最終的に合成出力の目標値Ｘｔに相当し、この時間帯における目標値Ｘｔとして、中間値Ｘｍを演算する。
【００６８】
この場合、実施形態１の蓄電池システム１における目標値演算部２２は、上述の中間値Ｘｍを演算する中間値演算部Ｃ９、上述のように調整時間帯の合成出力を含む仮の合成出力Ｘｉを修正する指定外修正部Ｃ１０を備えることが挙げられる（図２参照）。
【００６９】
［１−Ｃ］の場合も、放電優先値Ｘｄ、充電優先値Ｘｃ、及び中間値Ｘｍから選択される一つをそのまま合成出力の目標値Ｘｔとして利用する形態、又はこれらの三つの値から条件に応じて選択する形態とすることができる。各形態の詳細は、上述の［１−Ａ］（４）を参照するとよい。
［２］短周期の変化量ΔＸの増減方向を指定しない非指定時間帯の場合
この場合、発電機４２０の予想発電量において急激な減少や急激な増加があっても、短周期の変化量ΔＸが所定の範囲を逸脱しないように合成出力の目標値Ｘｔを設定する。ここでは、特に、蓄電池１０が所定の残存容量を確保するように目標値Ｘｔを設定する場合を説明する。この場合、所定の残存容量の範囲で放電可能であり、負荷４４０への供給電力の安定化を図り易い。ここでは、非指定時間帯において、所定の時間ごとに目標値Ｘｔを設定する場合を例示する。なお、予定発電量における急減や急増の有無は、単位時間当たりの変化量などに基づいて自動的に判定するように制御部２を構成すると、目標値Ｘｔの設定を効率的に行える。
（Ｄ−１）急減対策
この場合、実施形態１のプログラムを、以下のステップをコンピュータ（制御部２）に実行させるように構成することが挙げられる（図１２）。
【００７０】
非指定時間帯における合成出力の目標値Ｘｔを設定する場合、非指定時間帯のうちの所定の設定区間について各時刻における発電機４２０の予想発電量と蓄電池１０の定格出力とを用いて、蓄電池１０を最も放電させるときの合成出力を仮の合成出力Ｘｉとして演算する仮値演算ステップ（Ｓ２−１）
演算した仮の合成出力Ｘｉにおける短周期の変化量ΔＸが、現在演算している時刻の直前における実際の合成出力Ｘｒを基準として所定の範囲を超える部分が有れば、所定の範囲を満たすように仮の合成出力Ｘｉを修正する放電仮値修正ステップ（Ｓ２−２）
放電仮値修正ステップで修正された修正値において、短周期の変化量ΔＸが所定の範囲を満たすように再修正する再修正ステップ（Ｓ２−３）
再修正ステップで修正された再修正値と蓄電池１０の予想残存容量とを比較して、予想残存容量が所定の範囲以下となる時刻が有る場合には、予想残存容量が所定の範囲を満たすように再修正値を補正する残存補正ステップ（Ｓ２−４）
上記のプログラムでは、放電仮値修正ステップＳ２−２と再修正ステップＳ２−３と残存補正ステップＳ２−４とで目標演算ステップをなす。目標値演算ステップでは、残存補正ステップＳ２−４で補正した値が最終的に合成出力の目標値Ｘｔに相当する。
【００７１】
この場合、実施形態１の蓄電池システム１における仮値演算部２１を、最も放電させるときの合成出力（放電仮値）を演算するように構成する。目標値演算部２２は、上述のように放電仮値を修正する放電仮値修正部Ｄ２、上述のように放電仮値を再修正する再修正部Ｄ３、上述のように再修正値を補正する残存補正部Ｄ４を備えることが挙げられる。
（Ｄ−２）急増対策
この場合、実施形態１のプログラムを、以下のステップをコンピュータ（制御部２）に実行させるように構成することが挙げられる（図１３）。
【００７２】
非指定時間帯における合成出力の目標値Ｘｔを設定する場合、非指定時間帯のうちの所定の設定区間について各時刻における発電機４２０の予想発電量と蓄電池１０の定格出力とを用いて、蓄電池１０を最も充電させるときの合成出力を仮の合成出力Ｘｉとして演算する仮値演算ステップ（Ｓ２−５）
演算した仮の合成出力Ｘｉにおける短周期の変化量ΔＸが、現在演算している時刻の直前における実際の合成出力Ｘｒを基準として所定の範囲を超える部分が有れば、所定の範囲を満たすように仮の合成出力Ｘｉを修正する充電仮値修正ステップ（Ｓ２−６）
充電仮値修正ステップで修正された修正値において、短周期の変化量ΔＸが所定の範囲を満たすように再修正する再修正ステップ（Ｓ２−７）
再修正ステップで修正された再修正値と蓄電池１０の予想残存容量とを比較して、予想残存容量が所定の範囲以下となる時刻が有る場合には、予想残存容量が所定の範囲を満たすように再修正値を補正する残存補正ステップ（Ｓ２−８）
上記のプログラムでは、充電仮値修正ステップＳ２−６と再修正ステップＳ２−７と残存補正ステップＳ２−８とで目標演算ステップをなす。目標値演算ステップでは、残存補正ステップＳ２−８で補正した値が最終的に合成出力の目標値Ｘｔに相当する。
【００７３】
この場合、実施形態１の蓄電池システム１における仮値演算部２１を、最も充電させるときの合成出力（充電仮値）を演算するように構成する。目標値演算部２２は、上述のように充電仮値を修正する充電仮値修正部Ｄ６、上述のように充電仮値を再修正する再修正部Ｄ７、上述のように再修正値を補正する残存補正部Ｄ８を備えることが挙げられる。
（（パタンごとの設定手順の具体例））
以下、図１４から図２２を参照して、上述の合成出力の目標値Ｘｔを設定する手順を具体的に説明する。以下に例示の条件を示す。図１４から図２２のグラフは説明の便宜上、模式的に示す。各グラフにおいて、横軸は時刻、縦軸は出力（予想発電量、合成出力）を示す。
（例示の条件）
短周期の変化量ΔＸの範囲＝発電機４２０の定格出力Ｒｇの１％／分以下
［１］の指定時間帯＝３時間、調整時間帯＝１００分、設定区間＝６時間２０分
［２］の設定区間＝２時間
［１］指定時間帯を設ける場合
［１−Ａ］減少禁止の時間帯を設ける場合
図１４から図１６では、処理内容が分かり易いように、指定時間帯（Ａ）における予想発電量Ｐｅが上に凸なグラフとなる場合を例示するが、下に凸なグラフとなる場合についても同様にして、合成出力の目標値Ｘｔを設定することができる。
（１）放電優先値Ｘｄ（図１４参照）
（基準値演算ステップＳＡ−１）
図１４の上段左図に示すように、指定時間帯（Ａ）外であって、指定時間帯（Ａ）の終了時刻ｔｅから調整時間帯（ここでは終了時刻ｔｅから１００分後の時刻（ｔｅ＋１００分）までの時間帯）における各時刻の予想発電量Ｐｅを通り、傾きが定格出力Ｒｇの１％／分という直線（図１４の上段左図では一点鎖線で示す直線、時間と出力との関数）をとる。各直線上の点は、終了時刻ｔｅ後の各時刻における予想発電量Ｐｅの単位時間当たりの変化量が定格出力Ｒｇの１％／分を満たす点である。各直線における終了時刻ｔｅの値のうち、最小値を終了時刻ｔｅにおける予想発電量Ｐｅに基づく演算値Ｐとする。この演算値Ｐは、仮に終了時刻ｔｅから時刻（ｔｅ＋１００分）に向かって、定格出力Ｒｇの１％／分の割合で発電量が減少した場合に時刻（ｔｅ＋１００分）まででゼロとなる値であり、終了時刻ｔｅにおける合成出力の変化量が定格出力Ｒｇの１％／分以下を満たすための発電量の最小値に相当する。
【００７４】
図１４の上段中図に示すように、演算値Ｐに蓄電池１０の定格出力Ｒｂを合成して（Ｐ＋Ｒｂ）、終了時刻ｔｅにおける仮の合成出力（基準値Ｘｅ）を演算する。
（仮値抽出ステップＳＡ−２）
図１４の上段中図に示すように、終了時刻ｔｅから指定時間帯（Ａ）の開始時刻ｔｓ側に向かって（黒矢印参照）、発電機４２０における各時刻の予想発電量Ｐｅと蓄電池１０の定格出力Ｒｂとを合成した値（Ｐｅ＋Ｒｂ）と基準値Ｘｅとを比較し、小さい方を仮の合成出力Ｘｉとして抽出する。合成した値を予想発電量Ｐｅと蓄電池１０の定格出力Ｒｂとの和（Ｐｅ＋Ｒｂ）とすることで、蓄電池１０が定格出力Ｒｂで放電可能な値をとることになる（後述する指定時間帯（Ｂ），（Ｃ）でも同様）。図１４の上段中図では、仮の合成出力Ｘｉを破線（基準値Ｘｅを通る水平な直線及び合成出力Ｘｓを通る斜線）で示す。
（仮値修正ステップＳＡ−３）
図１４の上段右図に示すように、抽出した仮の合成出力Ｘｉにおいて、その変化量ΔＸが定格出力Ｒｇの１％／分を超える部分及び仮の合成出力Ｘｉが減少する部分が有れば、定格出力Ｒｇの１％／分を満たすと共に減少しないように仮の合成出力Ｘｉを修正する。図１４の上段右図では、指定時間帯（Ａ）の開始時刻ｔｓ近傍の直線（二点鎖線、１％／分の変化量を超える部分）を、定格出力Ｒｇの１％／分の変化量を満たす直線（一点鎖線）に修正する場合を示す。この場合、開始時刻ｔｓから終了時刻ｔｅ側に向かって修正する（黒矢印参照）。図１４の下段左図では、修正後の値を太実線で示す。
（放電仮値演算ステップＳＡ−４）
図１４の下段左図に示すように、指定時間帯（Ａ）の開始時刻ｔｓ前における調整時間帯について、開始時刻ｔｓの仮の合成出力Ｘｓを基準として、蓄電池１０を最も放電させるときの合成出力を演算する。具体的には、開始時刻ｔｓから調整時間帯の開始時刻側に向かって（黒矢印参照）、開始時刻ｔｓの仮の合成出力Ｘｓと以下の変化量との合成値Ｙ１と、時刻ｔ１における予想発電量Ｐｅ１と蓄電池１０の定格出力Ｒｂとの合成値Ｑ１＝（Ｐｅ１＋Ｒｂ）とを比較し、小さい方（ここではＱ１）を抽出する。上記の変化量とは、定格出力Ｒｇの１％／分の割合で時刻ｔｓから時刻ｔ１まで変化したときの総量である。例えば、時刻ｔｓと時刻ｔ１との差が１分間であれば、上記の変化量は定格出力Ｒｇの１％である。以降、上述の抽出した値と上記の変化量との合成値Ｙ２、…、Ｙｎと、各時刻ｔ２、…、ｔｎにおける予想発電量Ｐｅと定格出力Ｒｂとの合成値Ｑ２、…、Ｑｎとを比較して、小さい方（ここではＱ２、…、Ｑｎ）を抽出する。
【００７５】
なお、指定時間帯（Ａ）後の調整時間帯における合成出力の目標値Ｘｔは、上述の指定時間帯（Ａ）前の調整時間帯における合成出力の目標値Ｘｔと同様にして設定する。この場合、上述の「開始時刻ｔｓの仮の合成出力Ｘｓ」に代えて、上述の「終了時刻ｔｅの仮の合成出力（基準値Ｘｅ）」を基準とする。この点は、後述する充電優先値Ｘｃ、［１−Ｂ］，［１−Ｃ］でも同様である。図１４の下段左図では、終了時刻ｔｅ後の調整時間帯における合成出力の目標値Ｘｔを太実線で示す。
（放電仮値修正ステップＳＡ−５）
演算した放電仮値を含む仮の合成出力Ｘｉにおいて、その変化量が定格出力Ｒｇの１％を超える部分が有れば、定格出力Ｒｇの１％以下を満たすように、調整時間帯から指定時間帯（Ａ）側に向かって仮の合成出力Ｘｉを修正する。図１４では、上記変化量が定格出力Ｒｇの１％を超える部分が無いため、確認のみを行う。
【００７６】
以上のステップを経て、指定時間帯（Ａ）の合成出力の目標値Ｘｔとして放電優先値Ｘｄを設定できる。また、指定時間帯（Ａ）の前後の調整時間帯における合成出力の目標値Ｘｔを設定できる。
（２）充電優先値Ｘｃ（図１５参照）
（仮値演算ステップＳＡ−６）
図１５の上段左図に示すように、指定時間帯（Ａ）において発電機４２０における各時刻の予想発電量Ｐｅと蓄電池の定格出力Ｒｂとを合成した仮の合成出力Ｘｉ（Ｐｅ−Ｒｂ）を演算する。仮の合成出力Ｘｉを予想発電量Ｐｅと蓄電池１０の定格出力Ｒｂとの差（Ｐｅ−Ｒｂ）とすることで、蓄電池１０が定格出力Ｒｂで充電可能な値をとることになる（後述する指定時間帯（Ｂ），（Ｃ）でも同様）。図１５の上段左図では、仮の合成出力Ｘｉを破線（指定時間帯（Ａ）の予想発電量Ｐｅを描く直線に平行な直線）で示す。
（仮値修正ステップＳＡ−７）
図１５の上段中図に示すように、演算した仮の合成出力Ｘｉの変化量ΔＸが定格出力Ｒｇの１％／分を超える部分及び仮の合成出力Ｘｉが減少する部分が有れば、定格出力Ｒｇの１％／分を満たすと共に減少しないように仮の合成出力Ｘｉを修正する。図１５の上段中図では、指定時間帯（Ａ）の開始時刻ｔｓ近傍の直線（二点鎖線）を、定格出力Ｒｇの１％／分の変化量を満たす直線（一点鎖線）に修正し、終了時刻ｔｅ近傍の右下がりの直線（二点鎖線）を引き上げて、以降の時刻では水平な直線（破線）に修正する場合を示す。ここでは、終了時刻ｔｅを演算開始点として開始時刻ｔｓ側に向かって、上述の定格出力Ｒｇの１％／分の変化量を満たす直線に修正する処理（左向きの黒矢印参照）、開始時刻ｔｓを演算開始点として終了時刻ｔｅ側に向かって、上述の水平な直線に修正する処理を行う（右向きの黒矢印参照）。また、この例では、放電優先値Ｘｄ（図１５の上段右図では太点線で示す）を先に設定し、仮の合成出力Ｘｉにおいて放電優先値Ｘｄを超える部分（図１５の上段右図では二点鎖線で示す）を、放電優先値Ｘｄを満たすように修正する場合を示す。従って、ここでは、仮の合成出力Ｘｉを全て放電優先値Ｘｄに変更する。図１５の下段左図では、修正後の値を太点線で示す。
（充電仮値演算ステップＳＡ−８）
図１５の下段左図に示すように、指定時間帯（Ａ）の開始時刻ｔｓ前における調整時間帯について、開始時刻ｔｓの仮の合成出力Ｘｓを基準として、蓄電池１０を最も充電させるときの合成出力を演算する。手順は、上述の放電仮値演算ステップＳＡ−４と同様である。概略を述べると、開始時刻ｔｓから調整時間帯の開始時刻側に向かって（黒矢印参照）、開始時刻ｔｓの仮の合成出力Ｘｓと上述の変化量（正負の符号は適宜変更する）との合成値ｙ１と、時刻ｔ１における予想発電量Ｐｅと蓄電池１０の定格出力Ｒｂとの合成値Ｓ１＝（Ｐｅ−Ｒｂ）とを比較し、大きい方（ここではｙ１）を抽出する。合成値ｙ１は、仮の合成出力Ｘｓから、定格出力Ｒｇの１％／分の割合で変化したときの時刻ｔ１における合成値である。以降、合成値ｙ２、…と合成値Ｓ２、…とを比較して、大きい方（ここではｙ２、…）を抽出する。
（充電仮値修正ステップＳＡ−９）
演算した充電仮値を含む仮の合成出力Ｘｉにおいて、その変化量が定格出力Ｒｇの１％を超える部分が有れば、定格出力Ｒｇの１％以下を満たすように、調整時間帯から指定時間帯（Ａ）側に向かって仮の合成出力Ｘｉを修正する。図１５では、上記変化量が定格出力Ｒｇの１％を超える部分が無いため、確認のみを行う。
【００７７】
以上のステップを経て、指定時間帯（Ａ）の合成出力の目標値Ｘｔとして充電優先値Ｘｃを設定できる。また、指定時間帯（Ａ）の前後の調整時間帯における合成出力の目標値Ｘｔを設定できる。図１５の下段左図では、終了時刻ｔｅ後の調整時間帯における合成出力の目標値Ｘｔを太点線で示す。
（３）中間値Ｘｍ（図１６参照）
（中間値演算ステップＳＡ−１０）
図１６の左図に示すように、放電優先値Ｘｄ（太実線）と充電優先値Ｘｃ（太点線）とを合成した中間値Ｘｍ（太一点鎖線）を仮の合成出力Ｘｉとして演算する。中間値Ｘｍは、例えば、放電優先値Ｘｄと充電優先値Ｘｃとを合計して、この合計値の５０％とすることが挙げられる。
（指定外修正ステップＳＡ−１１）
図１６の左図に示すように、指定時間帯（Ａ）の開始時刻ｔｓ前における調整時間帯の合成出力を含む仮の合成出力Ｘｉについて、開始時刻前の実際の合成出力Ｘｒを基準として変化量ΔＸが定格出力Ｒｇの１％を超える部分がある場合、定格出力Ｒｇの１％を満たすように仮の合成出力Ｘｉ（中間値Ｘｍ）を修正する。具体的には、この調整時間帯の開始時刻前の時刻ｔｒには、実際の合成出力Ｘｒ（実績値）が存在する。この実績値を基準として、定格出力Ｒｇの１％の変化量を満たす直線（一点鎖線）をとる。この例では、調整時間帯における放電優先値Ｘｄ及び充電優先値Ｘｃの双方が定格出力Ｒｇの１％の変化量を満たす直線（一点鎖線）を超える部分が存在する。この超える部分とは、放電優先値Ｘｄでは、右上がりの一点鎖線で示す直線よりも左側部分、充電優先値Ｘｃでは、右下がりの一点鎖線で示す直線よりも左側部分が相当する。図１６の右図に示すように、この超える部分を、定格出力Ｒｇの１％の変化量を満たす直線（放電優先値Ｘｄでは太実線、充電優先値Ｘｃでは太点線）に修正する。
【００７８】
以上のステップを経て、指定時間帯（Ａ）の合成出力の目標値Ｘｔとして中間値Ｘｍを設定できる。また、指定時間帯（Ａ）の前後の調整時間帯における合成出力の目標値Ｘｔを設定できる。なお、図１６では、指定時間帯（Ａ）及び指定時間帯（Ａ）の終了時刻ｔｅ以降の調整時間帯における目標値Ｘｔは、三つの値Ｘｄ，Ｘｃ，Ｘｍが重なって一つの直線にみえている。
［１−Ｂ］増加禁止の時間帯を設ける場合
図１７，図１８では、処理内容が分かり易いように、指定時間帯（Ｂ）における予想発電量Ｐｅが下に凸なグラフとなる場合を例示するが、上に凸なグラフとなる場合についても同様にして、合成出力の目標値Ｘｔを設定することができる。
（１）放電優先値Ｘｄ（図１７参照）
（仮値演算ステップＳＢ−１）
上述の「基準値演算ステップＳＡ−１」と同様にして、図１７の上段左図に示す演算値Ｐをとる。図１７の上段中図に示すように、演算値Ｐに蓄電池１０の定格出力Ｒｂを合成して、終了時刻ｔｅにおける仮の合成出力（Ｐ＋Ｒｂ）を演算する。この合成値（Ｐ＋Ｒｂ）から指定時間帯（Ｂ）の開始時刻ｔｓ側に向かって（黒矢印参照）、発電機４２０における各時刻の予想発電量Ｐｅと蓄電池１０の定格出力Ｒｂとを合成した仮の合成出力Ｘｉ（Ｐｅ＋Ｒｂ）を演算する。図１７の上段中図では、仮の合成出力Ｘｉを破線（指定時間帯（Ｂ）において、終了時刻ｔｅ及びその近傍では右下がりの斜線、その他の時刻では予想発電量Ｐｅを描く直線に平行な直線）で示す。終了時刻ｔｅ近傍では、終了時刻ｔｅにおける合成値（Ｐ＋Ｒｂ）を満たすように調整する（終了時刻ｔｅ近傍の破線参照）。
（仮値修正ステップＳＢ−２）
上述の「仮値修正ステップＳＡ−３」と同様にして、図１７の上段右図に示すように、演算した仮の合成出力Ｘｉにおいて、その変化量ΔＸが定格出力Ｒｇの１％／分を超える部分及び仮の合成出力Ｘｉが増加する部分が有れば、定格出力Ｒｇの１％／分を満たすと共に増加しないように仮の合成出力Ｘｉを修正する。図１７の上段右図では、指定時間帯（Ｂ）の開始時刻ｔｓ近傍の直線（二点鎖線）を、定格出力Ｒｇの１％／分の変化量を満たす直線（一点鎖線）に修正し、終了時刻ｔｅ近傍の上に凸の直線（二点鎖線、増加する部分に相当）を引き下げて、それ以降は水平な直線（破線）に修正する場合を示す。図１７の下段左図では、修正後の値を太実線で示す。
（放電仮値演算ステップＳＢ−３）
上述の「放電仮値演算ステップＳＡ−４」と同様にして、指定時間帯（Ｂ）の開始時刻ｔｓ前における調整時間帯について、開始時刻ｔｓの仮の合成出力Ｘｓを基準として、蓄電池１０を最も放電させるときの合成出力を演算する。手順の概略を述べると、開始時刻ｔｓから調整時間帯の開始時刻側に向かって（黒矢印参照）、開始時刻ｔｓの仮の合成出力Ｘｓと上述の変化量（正負の符号は適宜変更する）との合成値Ｙ１と、時刻ｔ１における予想発電量Ｐｅと蓄電池１０の定格出力Ｒｂとの合成値Ｔ１＝（Ｐｅ＋Ｒｂ）とを比較し、小さい方（ここではＹ１）を抽出する。以降、合成値Ｙ２、…と合成値Ｔ２、…とを比較して、小さい方（ここではＹ２、…）を抽出する。
（放電仮値修正ステップＳＢ−４）
演算した放電仮値を含む仮の合成出力Ｘｉにおいて、その変化量が定格出力Ｒｇの１％を超える部分が有れば、定格出力Ｒｇの１％以下を満たすように、調整時間帯から指定時間帯（Ｂ）側に向かって仮の合成出力Ｘｉを修正する。図１７では、上記変化量が定格出力Ｒｇの１％を超える部分が無いため、確認のみを行う。
【００７９】
以上のステップを経て、指定時間帯（Ｂ）の合成出力の目標値Ｘｔとして放電優先値Ｘｄを設定できる。また、指定時間帯（Ｂ）の前後の調整時間帯における合成出力の目標値Ｘｔを設定できる。図１７の下段左図では、終了時刻ｔｅ後の調整時間帯における合成出力の目標値Ｘｔを太実線で示す。
（２）充電優先値Ｘｃ（図１８参照）
（仮値演算ステップＳＢ−５）
上述の「仮値演算ステップＳＡ−６」と同様にして、図１８の上段左図に示すように、指定時間帯（Ｂ）における仮の合成出力Ｘｉ（Ｐｅ−Ｒｂ）を演算する（二点鎖線参照）。次に、指定時間帯（Ｂ）の終了時刻ｔｅから開始時刻ｔｓ側に向かって、仮の合成出力Ｘｉの値が途中で減少する部分があれば、減少ではなく一定となるように値を修正する。図１８に示す例では、このように演算、修正した値を指定時間帯（Ｂ）の仮の合成出力Ｘｉとすると、蓄電池１０の定格出力Ｒｂを超える放電量や充電量が必要となる時間が生じ得る。図１８に示す例では、終了時刻ｔｅ及びその近傍の予想発電量と中間の時刻の予想発電量との差が大きく、蓄電池１０の定格出力Ｒｂの２倍以上である。そのため、上述のように仮の合成出力Ｘｉを抽出しても、この蓄電池１０の定格出力Ｒｂでは放電し続けられない。そこで、必要に応じて、（Ｐｅ＋Ｒｂ）を上限として調整する。図１８の上段左図では、仮の合成出力Ｘｉを破線（指定時間帯（Ｂ）において、開始時刻ｔｓ及びその近傍では予想発電量Ｐｅを描く直線に平行な直線、終了時刻ｔｅ及びその近傍では水平な直線、その他の時刻では水平な直線及び右上がりの斜線）で示す。
（仮値修正ステップＳＢ−６）
上述の「仮値修正ステップＳＡ−７」と同様にして、図１８の上段中図に示すように、演算した仮の合成出力Ｘｉの変化量ΔＸが定格出力Ｒｇの１％／分を超える部分及び仮の合成出力Ｘｉが増加する部分が有れば、定格出力Ｒｇの１％／分を満たすと共に増加しないように仮の合成出力Ｘｉを修正する。図１８の上段中図では、指定時間帯（Ｂ）の開始時刻ｔｓ近傍の直線（二点鎖線）を、定格出力Ｒｇの１％／分の変化量を満たす直線（一点鎖線）に修正し、終了時刻ｔｅ近傍の右上がりの直線（二点鎖線）を引き下げて、開始時刻ｔｓから終了時刻ｔｅ側に向かって水平な直線（破線）に修正する場合を示す。また、この例では、放電優先値Ｘｄ（図１８の上段右図では太点線で示す）を先に設定し、仮の合成出力Ｘｉにおいて放電優先値Ｘｄを超える部分（図１８の上段右図では二点鎖線で示す）を、放電優先値Ｘｄを満たすように修正する場合を示す。図１８の上段右図，下段左図では、修正後の値を太点線で示す。
（充電仮値演算ステップＳＢ−７）
上述の「充電仮値演算ステップＳＡ−８」と同様にして、指定時間帯（Ｂ）の開始時刻前における所定の時間帯（調整時間帯）について、開始時刻ｔｓの仮の合成出力Ｘｓを基準として、蓄電池１０を最も充電させるときの合成出力を演算する。手順の概略を述べると、開始時刻ｔｓから調整時間帯の開始時刻側に向かって（黒矢印参照）、開始時刻ｔｓの仮の合成出力Ｘｓと上述の変化量との合成値ｙ１＝（Ｘｓ−ΔＸ）と、時刻ｔ１における予想発電量Ｐｅと蓄電池１０の定格出力Ｒｂとの合成値Ｕ１＝（Ｐｅ−Ｒｂ）とを比較し、大きい方（ここではＵ１）を抽出する。以降、合成値ｙ２、…と合成値Ｕ２、…とを比較して、大きい方（ここではＵ２、…）を抽出する。なお、比較、抽出した値が予想発電量Ｐｅと定格出力Ｒｂとの合成値（Ｐｅ＋Ｒｂ）を超える場合には、この合成値（Ｐｅ＋Ｒｂ）に置き換える。
（充電仮値修正ステップＳＢ−８）
演算した充電仮値を含む仮の合成出力Ｘｉにおいて、その変化量が定格出力Ｒｇの１％を超える部分が有れば、定格出力Ｒｇの１％以下を満たすように、調整時間帯からこの時間帯（Ｂ）側に向かって仮の合成出力Ｘｉを修正する。図１８の下段左図では、時刻ｔ１，ｔ２近傍における仮の合成出力Ｘｉが定格出力Ｒｇの１％の変動量の直線を超えるため、定格出力Ｒｇの１％以下を満たすように修正した場合（一点鎖線）を示す。
【００８０】
以上のステップを経て、指定時間帯（Ｂ）の合成出力の目標値Ｘｔとして充電優先値Ｘｃを設定できる。また、指定時間帯（Ｂ）の前後の調整時間帯における合成出力の目標値Ｘｔを設定できる。図１８の下段左図では、終了時刻ｔｅ後の調整時間帯における合成出力の目標値Ｘｔを太点線で示す。
（３）中間値Ｘｍ
中間値Ｘｍについては、［１−Ａ］（３）と同様であり、詳細な説明を省略する。
［１−Ｃ］増減禁止の時間帯を設ける場合
図１９，図２０では、処理内容が分かり易いように、指定時間帯（Ｃ）における予想発電量Ｐｅが上に凸なグラフとなる場合（ここでは指定時間帯（Ａ）のグラフと同じ）を例示するが、下に凸なグラフとなる場合についても同様にして、合成出力の目標値Ｘｔを設定することができる。
（１）放電優先値Ｘｄ（図１９参照）
（最小値演算ステップＳＣ−１）
上述の「基準値演算ステップＳＡ−１」と同様にして、図１９に示す演算値Ｐをとる。演算値Ｐを含めて指定時間帯（Ｃ）における各時刻の予想発電量Ｐｅの最小値Ｐｍｉｎを抽出する。
（一定値演算ステップＳＣ−２）
演算した最小値Ｐｍｉｎに蓄電池１０の定格出力Ｒｂを合成した一定値（Ｐｍｉｎ＋Ｒｂ）を仮の合成出力Ｘｉとして演算する。図１９では仮の合成出力Ｘｉを太実線で示す。
（放電仮値演算ステップＳＣ−３）
上述の「放電仮値演算ステップＳＡ−４」と同様にして、指定時間帯（Ｃ）の開始時刻ｔｓ前の調整時間帯について、開始時刻ｔｓの仮の合成出力Ｘｓを基準として、蓄電池１０を最も放電させるときの合成出力を演算する。
（放電仮値修正ステップＳＣ−４）
演算した放電仮値を含む仮の合成出力Ｘｉにおいて、その変化量が定格出力Ｒｇの１％を超える部分が有れば、定格出力Ｒｇの１％以下を満たすように、調整時間帯から指定時間帯（Ｃ）側に向かって仮の合成出力Ｘｉを修正する。図１９では、上記変化量が定格出力Ｒｇの１％を超える部分が無いため、確認のみを行う。
【００８１】
以上のステップを経て、指定時間帯（Ｃ）の合成出力の目標値Ｘｔとして放電優先値Ｘｄを設定できる。また、指定時間帯（Ｃ）の前後の調整時間帯における合成出力の目標値Ｘｔを設定できる。図１９では、終了時刻ｔｅ後の調整時間帯における合成出力の目標値Ｘｔを太実線で示す。
（２）充電優先値Ｘｃ（図２０参照）
（最大値演算ステップＳＣ−５）
上述の「基準値演算ステップＳＡ−１」と同様にして、図２０に示す演算値Ｐをとる。演算値Ｐを含めて指定時間帯（Ｃ）における各時刻の予想発電量Ｐｅの最大値Ｐｍａｘを抽出する。
（一定値演算ステップＳＣ−６）
演算した最大値Ｐｍａｘに蓄電池１０の定格出力Ｒｂを合成した一定値（Ｐｍｉｎ−Ｒｂ）を仮の合成出力Ｘｉとして演算する。図２０では仮の合成出力Ｘｉを破線（最大値Ｐｍａｘから定格出力Ｒｂ分下がった点を通る水平な直線）で示す。この例では、放電優先値Ｘｄを先に設定し、仮の合成出力Ｘｉにおいて放電優先値Ｘｄを超える部分を、放電優先値Ｘｄを満たすように修正する場合を示す。仮の合成出力Ｘｉとしてとった上述の破線で示す直線は、放電優先値Ｘｄ（図１９の太実線参照）を超えることから、放電優先値Ｘｄに変更する。図２０では、修正後の値を太点線で示す。
（充電仮値演算ステップＳＣ−７）
上述の「充電仮値演算ステップＳＡ−８」と同様にして、指定時間帯（Ｃ）の開始時刻ｔｓ前における調整時間帯について、開始時刻ｔｓの仮の合成出力Ｘｓを基準として、蓄電池１０を最も充電させるときの合成出力を演算する。
（充電仮値修正ステップＳＣ−８）
演算した充電仮値を含む仮の合成出力Ｘｉにおいて、その変化量が定格出力Ｒｇの１％を超える部分が有れば、定格出力Ｒｇの１％以下を満たすように、調整時間帯から指定時間帯（Ｃ）側に向かって仮の合成出力Ｘｉを修正する。図２０では、上記変化量が定格出力Ｒｇの１％を超える部分が無いため、確認のみを行う。
【００８２】
以上のステップを経て、指定時間帯（Ｃ）の合成出力の目標値Ｘｔとして充電優先値Ｘｃを設定できる。また、指定時間帯（Ｃ）の前後の調整時間帯における合成出力の目標値Ｘｔを設定できる。図２０では、終了時刻ｔｅ後の調整時間帯における合成出力の目標値Ｘｔを太点線で示す。
（３）中間値Ｘｍ
中間値Ｘｍについては、［１−Ａ］（３）と同様であり、詳細な説明を省略する。
［２］非指定時間帯である場合
図２１，図２２では、処理内容が分かり易いような予想発電量Ｐｅを例示するが、その他の場合についても同様にして、合成出力の目標値Ｘｔを設定することができる。
（Ｄ−１）急減対策（図２１参照）
（仮値演算ステップＳ２−１）
非指定時間帯のうちから、所望の設定区間（Ｄ）を設定し、この設定区間（Ｄ）の各時刻における発電機４２０の予想発電量Ｐｅと蓄電池１０の定格出力Ｒｂとを用いて、蓄電池１０を最も放電させるときの合成出力を仮の合成出力Ｘｉとして演算する。基本的な手順は「放電仮値演算ステップＳＡ−４」に類似する。概略を述べると、各時刻における予想発電量Ｐｅと定格出力Ｒｂとの合成値（ここでは（Ｐｅ＋Ｒｂ））と、各時刻の予想発電量Ｐｅと以下の変化量Δｘとの合成値（ここでは（Ｐｅ＋Δｘ））とを比較し、小さい方を仮の合成出力Ｘｉとして抽出する。上記の変化量Δｘとは、定格出力Ｒｇの１％／分の割合で、適宜設定した所定の時間変化したときの総量（例えば１０分間の変化したときの総量）である。図２１の左図では、仮の合成出力Ｘｉを破線（ここでは設定区間（Ｄ）の予想発電量Ｐｅを描く直線に平行な直線）で示す。仮値演算ステップＳ２−１において、基準とする合成値（Ｐｅ＋Ｒｂ）が抽出される場合、予想発電量Ｐｅの急減があっても、仮の合成出力Ｘｉは所定の変化量Δｘの範囲内、かつ蓄電池１０が定格出力Ｒｂ以下の出力（ここでは放電）で対応可能なものとなる。この場合、ステップＳ２−１は、急減対策を兼ねるといえるため、以下のステップＳ２−２からＳ２−４を省略することができる。
（放電仮値修正ステップＳ２−２）
演算した仮の合成出力Ｘｉが、非指定時間帯（ここでは設定区間（Ｄ））の開始時刻前における実際の合成出力Ｘｒを基準として定格出力Ｒｇの１％／分を超える部分が有れば、定格出力Ｒｇの１％／分を満たすように仮の合成出力Ｘｉを修正する。基本的な手順は「指定外修正ステップＳＡ−１１」に類似する。概略を述べると、ステップＳ２−１でとった仮の合成出力Ｘｉ（図２１の左図では破線で示す上に凸なグラフ）において、実際の合成出力Ｘｒ（実績値）を基準として、定格出力Ｒｇの１％の変化量を満たす直線（一点鎖線）をとる。ここでは、ある時刻ｔｒの実際の合成出力Ｘｒを基準とする定格出力Ｒｇの１％の変化量を満たす直線をとったとき、時刻ｔｋの仮の合成出力Ｙｋは、この直線上の値ｙｋを超えている。そこで、時刻ｔｋの仮の合成出力Ｘｉを値ｙｋに修正すると共に、この値ｙｋを基準として、定格出力Ｒｇの１％の変化量を満たす直線（図２１の右図の太実線参照）に修正する。
（再修正ステップＳ２−３）
放電仮値修正ステップで修正された修正値において、図２１の左図に示すようにその変化量ΔＸが定格出力Ｒｇの１％を満たすように再修正する。図２１の左図では、再修正後の合成出力を太実線で示す。
（残存補正ステップＳ２−４）
再修正ステップで修正された再修正値と蓄電池１０の予想残存容量とを比較して、予想残存容量が所定の範囲以下となる時刻が有る場合には、予想残存容量が所定の範囲を満たすように再修正値を補正する（図示せず）。
【００８３】
以上のステップを経て、非指定時間帯の合成出力の目標値Ｘｔとして、急減対応を考慮した値を設定できる。
（Ｄ−２）急増対策（図２２参照）
（仮値演算ステップＳ２−５）
非指定時間帯のうちから、所望の設定区間（Ｄ）を設定し、この設定区間（Ｄ）の各時刻における発電機４２０の予想発電量Ｐｅと蓄電池１０の定格出力とに基づいて蓄電池１０を最も充電させるときの合成出力を仮の合成出力Ｘｉとして演算する。基本的な手順は「充電仮値演算ステップＳＡ−８」に類似する。概略を述べると、各時刻における予想発電量Ｐｅと定格出力Ｒｂとの合成値（ここでは（Ｐｅ−Ｒｂ））と、各時刻の予想発電量Ｐｅと上述の変化量Δｘとの合成値（ここでは（Ｐｅ−Δｘ））とを比較し、大きい方を仮の合成出力Ｘｉとして抽出する。図２２の左図では仮の合成出力Ｘｉを二点鎖線で示す。抽出した仮の合成出力Ｘｉにおいて蓄電池１０の定格出力Ｒｂを超える放電量や充電量が必要となる時間が生じ得る場合には、（Ｐｅ＋Ｒｂ）を下限として調整する。また、短周期の変化量ΔＸが定格出力Ｒｇの１％／分を超える部分が有れば、定格出力Ｒｇの１％／分を満たすように修正する。図２２の左図では、修正した仮の合成出力Ｘｉを破線（設定区間（Ｄ）の開始時刻及びその近傍では概ね水平な直線、終了時刻側では右上がりの斜線）で示す。仮値演算ステップＳ２−５において、基準とする合成値（Ｐｅ−Ｒｂ）が抽出される場合、予想発電量Ｐｅの急増があっても、仮の合成出力Ｘｉは所定の変化量Δｘの範囲内、かつ蓄電池１０が定格出力Ｒｂ以下の出力（ここでは充電）で対応可能なものとなる。この場合、ステップＳ２−５は、急増対策を兼ねるといえるため、以下のステップＳ２−６からＳ２−８を省略することができる。
（充電仮値修正ステップＳ２−６）
演算した仮の合成出力Ｘｉの変化量ΔＸが、非指定時間帯（ここでは設定区間（Ｄ））の開始時刻前における実際の合成出力Ｘｒを基準として定格出力Ｒｇの１％／分を超える部分が有れば、定格出力Ｒｇの１％／分を満たすように仮の合成出力Ｘｉを修正する。基本的な手順は上述の「放電仮値修正ステップＳ２−２」と同様である。図２２では、実際の合成出力Ｘｒ（実績値）を基準として、定格出力Ｒｇの１％の変化量を満たす直線（一点鎖線）をとると、仮の合成出力Ｘｉにはこの直線を超える部分が無い。即ち、変化量ΔＸが定格出力Ｒｇの１％を超える部分が無いため、確認のみを行う。図２２の右図では、修正した仮の合成出力Ｘｉを太実線で示す。
（再修正ステップＳ２−７）
充電仮値修正ステップで修正された修正値の変化量ΔＸが定格出力Ｒｇの１％／分を満たすように再修正する。上述のように図２２では、変化量ΔＸが定格出力Ｒｇの１％を超える部分が無いため、確認のみを行う。
（残存補正ステップＳ２−８）
再修正ステップで修正された再修正値と蓄電池１０の予想残存容量とを比較して、予想残存容量が所定の範囲以下となる時刻が有る場合には、予想残存容量が所定の範囲を満たすように再修正値を補正する（図示せず）。
【００８４】
以上のステップを経て、非指定時間帯の合成出力の目標値Ｘｔとして、急増対応を考慮した値を設定できる。
（効果）
実施形態１の蓄電池の運転方法、実施形態１の蓄電池システム１、実施形態１のプログラム、及び実施形態１のウィンドファームによれば、発電機４２０の予想発電量を利用して、発電機の出力（発電量）と蓄電池の出力（放電量又は充電量）とを合成した合成出力の目標値Ｘｔを設定する。かつ、この合成出力の目標値Ｘｔにおける短周期の変化量ΔＸが所定の範囲を満たすように、目標値Ｘｔを設定する。このように特定の条件で目標値Ｘｔを設定するため、定格出力Ｒｂが小さく小容量の蓄電池１０であっても、短周期の変化量の制限要求を満たして、負荷４４０に安定して電力供給を行える。例えば、蓄電池１０として、定格出力Ｒｂが発電機４２０の定格出力Ｒｇの５０％以下のもの、更に４０％以下のもの、３０％以下のもの、更には１０％から２０％程度のものを利用できる。
【００８５】
本例のように指定時間帯（所定の時間帯）における短周期の変化量ΔＸの変化方向を特定して合成出力の目標値Ｘｔを設定すれば、短周期の変化量及び長周期の変化量の制限が有る場合でも制限要求を満たして、負荷４４０に安定して電力供給を行える。また、本例のように指定時間帯（所定の時間帯）の終了時刻直後を考慮して目標値Ｘｔを設定すれば、この時間帯後にも短周期の変化量の制限がある場合にこの時間帯の終了時刻直後において発電量が急変しても、制限要求をより確実に満たすことができ、負荷４４０に安定して電力供給を行える。更に、本例のように目標値Ｘｔを放電優先値Ｘｄ、充電優先値Ｘｃ、及び中間値Ｘｍの少なくとも一つとすれば、小容量の蓄電池１０を利用する場合でも発電機４２０の発電抑制を可及的に低減できるため、発電抑制に起因する損失を低減できる。更に、供給電力の更なる安定化や発電電力の利用率の向上などの効果も期待できる。
【００８６】
本例のように蓄電池１０としてＲＦ電池を備えると、（１）容量の調整が容易である、（２）長寿命である、（３）ＳＯＣを正確に監視可能であり、残存容量などを把握し易い、（４）電池出力と電池容量とを独立して設計できて設計の自由度が高い、等の利点を有する。
【００８７】
本発明は、これらの例示に限定されるものではなく、請求の範囲によって示され、請求の範囲と均等の意味及び範囲内での全ての変更が含まれることが意図される。
【００８８】
例えば、実施形態１に対して、以下の少なくとも一つの変更が可能である。
（１）発電機４２０を太陽光発電機などに変更する。この場合、太陽光発電機と蓄電池システム１とを備える太陽光発電所を構築できる。
（２）蓄電池１０をリチウムイオン電池などに変更する。
【符号の説明】
【００８９】
１  蓄電池システム、２  制御部、２０  演算部、２１  仮値演算部、２２  目標値演算部、２３  目標値選択部、２０１  記憶部、２０２  入出力部、２０３  判定部、２０４  命令部、２０５  タイマ部、Ａ１  基準値演算部、Ａ２  仮値抽出部、Ａ３，Ａ７，Ｂ２，Ｂ６  仮値修正部、Ａ４，Ｂ３，Ｃ３  放電仮値演算部、Ａ５，Ｂ４，Ｃ４，Ｄ２  放電仮値修正部、Ａ８，Ｂ７，Ｃ７  充電仮値演算部、Ａ９，Ｂ８，Ｃ８，Ｄ６  充電仮値修正部、Ａ１０，Ｂ９，Ｃ９  中間値演算部、Ａ１１，Ｂ１０，Ｃ１０  指定外修正部、Ｃ１  最小値演算部、Ｃ２，Ｃ６  一定値演算部、Ｃ５  最大値演算部、Ｄ３，Ｄ７  再修正部、Ｄ４，Ｄ８  残存補正部、３  モニタ、４  直接入力部、１０  蓄電池、１０Ｃ  電池セル、１１  隔膜、１４  正極電極、１５  負極電極、１６  正極タンク、１７  負極タンク、１６２，１６４，１７２，１７４  配管、１６０，１７０  ポンプ、４００  交流／直流変換器、４１０  変電設備、４２０  発電機、４４０  負荷。
【図１】
2018193689.tif 000003
【図２】
2018193689.tif 000004
【図３】
2018193689.tif 000005
【図４】
2018193689.tif 000006
【図５】
2018193689.tif 000007
【図６】
2018193689.tif 000008
【図７】
2018193689.tif 000009
【図８】
2018193689.tif 000010
【図９】
2018193689.tif 000011
【図１０】
2018193689.tif 000012
【図１１】
2018193689.tif 000013
【図１２】
2018193689.tif 000014
【図１３】
2018193689.tif 000015
【図１４】
2018193689.tif 000016
【図１５】
2018193689.tif 000017
【図１６】
2018193689.tif 000018
【図１７】
2018193689.tif 000019
【図１８】
2018193689.tif 000020
【図１９】
2018193689.tif 000021
【図２０】
2018193689.tif 000022
【図２１】
2018193689.tif 000023
【図２２】
2018193689.tif 000024
【国際調査報告】
2018193689.tif 000025
2018193689.tif 000026
2018193689.tif 000027